(57)【要約】【課題】短手方向の寸法が異なる複数種類の紙葉類を結束対象とし、同一種類の紙葉類を集積しかつ、短手方向にテープを巻き付けることによって結束紙葉類を作成する紙葉類処理装置において、結束紙葉類の側面に位置するテープ箇所に印字しないようにする。【解決手段】紙葉類処理装置（紙幣処理装置１００）は、同一種類の紙葉類を集積しかつ、短手方向にテープを巻き付けることによって、結束紙葉類を作成する結束部９と、結束紙葉類において紙葉類の表面又は裏面に位置するテープ箇所を印字箇所として、当該印字箇所に、テープに沿うように、当該結束紙葉類に関係する内容の印字を行う印字部（印刷部９７）と、結束を行う紙葉類の短手方向の寸法に基づいて、結束紙葉類の側面に位置するテープ箇所に印字しないように、テープに印字する長さ、又は、テープに印字する位置を設定する印字設定部（制御部１２０）と、を備える。【選択図】図１５
2015199524.tif 000002
【特許請求の範囲】
【請求項１】
短手方向の寸法が異なる複数種類の紙葉類を結束対象とし、同一種類の紙葉類を集積しかつ、短手方向にテープを巻き付けることによって、結束紙葉類を作成する結束部と、
前記結束紙葉類において前記紙葉類の表面又は裏面に位置するテープ箇所を印字箇所として、当該印字箇所に、前記テープに沿うように、当該結束紙葉類に関係する内容の印字を行う印字部と、
結束を行う紙葉類の短手方向の寸法に基づいて、前記結束紙葉類の側面に位置するテープ箇所に印字しないように、前記テープに印字する長さ、又は、前記テープに印字する位置を設定する印字設定部と、を備えている紙葉類処理装置。
【請求項２】
前記印字設定部は、結束を行う紙葉類の短手方向の寸法に基づいて、前記テープに印字する長さを、前記印字箇所の範囲内に収まるように変更し、
前記印字部は、前記変更された印字長さに従って、前記印字箇所に印字を行う請求項１に記載の紙葉類処理装置。
【請求項３】
前記テープに印字する内容には、複数の項目が含まれ、
前記印字箇所には、前記複数の項目が前記テープに沿って並んで印字され、
前記印字設定部は、前記テープに印字する項目の数を、前記印字箇所の範囲内に収まるように変更する請求項２に記載の紙葉類処理装置。
【請求項４】
前記複数の項目にはそれぞれ、優先順位が設定されており、
前記印字設定部は、前記印字箇所の範囲内に収まるように、前記テープに印字する項目の中から、前記優先順位が低い項目を除外する請求項３に記載の紙葉類処理装置。
【請求項５】
前記印字設定部は、ユーザの入力操作に基づいて、前記複数の項目の優先順位を設定すると共に、前記ユーザが前記入力操作をするときに、短手方向の寸法が異なる前記紙葉類の種類毎に、設定された優先順位に従って前記テープに項目を印字した状態を、表示部に表示する請求項４に記載の紙葉類処理装置。
【請求項６】
前記テープに印字する内容には、予め設定された最大文字数内で、ユーザが任意に内容を設定する項目が含まれ、
前記印字設定部は、前記ユーザが設定した文字数が最大文字数よりも少ないときに、前記印字箇所の範囲内に収まるよう、当該項目の余剰の文字数分の空きスペースの少なくとも一部を詰める請求項２に記載の紙葉類処理装置。
【請求項７】
前記テープに印字する内容には、予め設定された最大桁数内で、桁数が変化する項目が含まれ、
前記印字設定部は、印字すべき桁数が最大桁数よりも少ないときに、前記印字箇所の範囲内に収まるよう、当該項目の余剰の桁数分の空きスペースの少なくとも一部を詰める請求項２に記載の紙葉類処理装置。
【請求項８】
前記印字設定部は、前記印字箇所の範囲内に収まるように、印字する文字数を少なくする請求項２に記載の紙葉類処理装置。
【請求項９】
前記印字設定部は、結束を行う紙葉類の短手方向の寸法に基づいて、前記紙葉類の表面又は裏面のいずれか一方に位置するテープ箇所に印字する片面印字モードと、前記紙葉類の表面に位置するテープ箇所と、前記紙葉類の裏面に位置するテープ箇所とのそれぞれに印字する両面印字モードと、に切り替え、
前記印字部は、印字モードに従って、前記テープに印字を行う請求項１に記載の紙葉類処理装置。
【請求項１０】
前記印字設定部は、結束対象の複数種類の紙葉類の短手方向の寸法に対応して、前記印字箇所の範囲内に収まるように、前記テープに印字する長さをそれぞれ設定しており、
前記印字部は、結束を行う紙葉類の種類に基づいて、前記印字設定部が設定している印字長さに従って、前記印字箇所に印字を行う請求項１に記載の紙葉類処理装置。
【請求項１１】
前記印字設定部は、前記結束部が前記結束紙葉類を作成するときに、当該結束紙葉類における前記テープに印字をした状態を、表示部に表示する請求項１〜１０のいずれか１項に記載の紙葉類処理装置。
【請求項１２】
前記印字設定部は、ユーザが、表示された印字状態に基づいて印字の形態を変更することが可能に構成されている請求項１１に記載の紙葉類処理装置。
【請求項１３】
前記印字設定部は、前記結束紙葉類の側面に位置するテープ箇所に印字をすることを禁止するモードと、当該テープ箇所に印字することを許容するモードとを、ユーザの入力操作に基づいて切り替え、
前記印字部は、モードに従って、前記テープに印字を行う請求項１〜１２のいずれか１項に記載の紙葉類処理装置。
【発明の詳細な説明】
【技術分野】
【０００１】
ここに開示する技術は、紙葉類処理装置、特に、集積した紙葉類にテープを巻き付けて結束紙葉類を作成する紙葉類処理装置に関する。
【背景技術】
【０００２】
特許文献１には、集積した紙幣に対し短手方向にテープを巻き付けることによって結束紙幣を作成する結束機が記載されている。この結束機は、紙幣にテープを巻き付ける前に、当該テープの所定箇所に、束番号、作成日、及び作成銀行名の各項目を印字するようにしている。これらの項目を含む印字内容は、結束紙幣においては、紙幣の表面又は裏面に位置するテープ箇所に位置している。
【０００３】
また、特許文献２には、短手方向の寸法の異なる複数種類の紙幣それぞれを結束対象として、結束紙幣を作成することが可能な結束機が記載されている。この結束機でも、特許文献１の結束機と同様に、テープに対して、連番、日付、及びオペレータ番号等の印字を行った上で、テープを紙幣に巻き付けるようにしている。この特許文献２の結束機は、結束する紙幣の短手方向の寸法に応じてテープに対する印字位置を変更することにより、紙幣の短手方向の寸法に対応して、結束紙幣における最適な位置に印字をするようにしている。
【先行技術文献】
【特許文献】
【０００４】
【特許文献１】特開平１１−１０５８３７号公報
【特許文献２】特開２００２−８００１２号公報
【発明の概要】
【発明が解決しようとする課題】
【０００５】
ところで、紙幣を含む紙葉類全般に関し、結束紙葉類を作成する際に、テープに対して印字する内容としては、前記特許文献にも記載されているように、オペレータ名、通し番号、作成日、作成時間、作成金融機関名等、様々な項目が含まれる。それら複数の項目を、テープに沿って並べて印字したときに、印字の長さが長くなる場合がある。その結果、結束紙葉類において、紙葉類の表面又は裏面に位置するテープ箇所の範囲に印字が収まらず、結束紙葉類の側面に位置するテープ箇所にまで、印字してしまうことも起こり得る。
【０００６】
ここで、こうした結束紙葉類は、複数個の結束紙葉類を積層してテープを巻き付けることにより、さらに大きな束を作成する場合がある。そうした大束においては、各結束紙葉類の側面に位置するテープ箇所に、バーコード等を貼る場合もある。つまり、結束紙葉類において側面に位置するテープ箇所は、別の目的で利用される場合がある。そのため、結束紙葉類の側面に位置するテープ箇所には、印字をしたくないという要求がある。
【０００７】
また、短手方向の寸法の異なる複数種類の紙葉類を結束対象として、結束処理を行う装置では、短手方向の寸法が相対的に長い紙葉類については、結束紙葉類における、紙葉類の表面又は裏面に位置するテープ箇所の範囲に、全ての印字内容を収めることができたとしても、短手方向の寸法が相対的に短い紙葉類については、結束紙葉類における、紙葉類の表面又は裏面に位置するテープ箇所の範囲に、全ての印字内容を収めることができないことも起こり得る。
【０００８】
ここに開示する技術は、かかる点に鑑みてなされたものであり、その目的とするところは、短手方向の寸法が異なる複数種類の紙葉類を結束対象とし、同一種類の紙葉類を集積しかつ、短手方向にテープを巻き付けることによって結束紙葉類を作成する紙葉類処理装置において、結束紙葉類の側面に位置するテープ箇所に印字しないようにすることにある。
【課題を解決するための手段】
【０００９】
ここに開示する技術は、紙葉類処理装置に係り、この紙葉類処理装置は、短手方向の寸法が異なる複数種類の紙葉類を結束対象とし、同一種類の紙葉類を集積しかつ、短手方向にテープを巻き付けることによって、結束紙葉類を作成する結束部と、前記結束紙葉類において前記紙葉類の表面又は裏面に位置するテープ箇所を印字箇所として、当該印字箇所に、前記テープに沿うように、当該結束紙葉類に関係する内容の印字を行う印字部と、結束を行う紙葉類の短手方向の寸法に基づいて、前記結束紙葉類の側面に位置するテープ箇所に印字しないように、前記テープに印字する長さ、又は、前記テープに印字する位置を設定する印字設定部と、を備えている。
【００１０】
この構成によると、結束部は、短手方向の寸法が異なる複数種類の紙葉類を結束対象とする。従って、結束する紙葉類の種類によって、結束紙葉類において、紙葉類の表面又は裏面に位置するテープ箇所、つまり印字箇所の長さが相違する。
【００１１】
印字設定部は、結束を行う紙葉類の短手方向の寸法に基づいて、言い換えると印字箇所の長さに基づいて、結束紙葉類の側面に位置するテープ箇所に印字しないように、テープに印字する長さ、又は、テープに印字する位置を設定する。
【００１２】
印字部は、印字設定部が設定した印字長さや、印字位置に従って、例えば紙葉類に巻き付ける前のテープにおける所定の位置に、所定の長さの印字を行う。尚、印字部は、紙葉類に巻き付けた後のテープに印字を行うようにしてもよい。
【００１３】
こうして、結束紙葉類において、その側面に位置するテープ箇所には印字されず、紙葉類の表面又は裏面に位置するテープ箇所にのみ、印字が行われるようになる。
【００１４】
前記印字設定部は、結束を行う紙葉類の短手方向の寸法に基づいて、前記テープに印字する長さを、前記印字箇所の範囲内に収まるように変更し、前記印字部は、前記変更された印字長さに従って、前記印字箇所に印字を行う、としてもよい。
【００１５】
結束を行う紙葉類の短手方向の寸法に基づいて、テープに印字する長さを、印字箇所の範囲内に収まるように変更することで、結束紙幣において、側面に位置するテープ箇所には、印字しないことになる。
【００１６】
ここで、印字長さを変更することには、印字する内容や文字数を変更せずに、印字するフォントサイズを変更することによって、その印字長さを変更することが含まれる。
【００１７】
また、印字する長さを印字箇所の範囲内に収まるように変更することには、以下のような様々な構成も含まれる。
【００１８】
つまり、前記テープに印字する内容には、複数の項目が含まれ、前記印字箇所には、前記複数の項目が前記テープに沿って並んで印字され、前記印字設定部は、前記テープに印字する項目の数を、前記印字箇所の範囲内に収まるように変更する、としてもよい。
【００１９】
印字する項目の数を減らすことによって、印字長さを短くすることが可能になる。従って、結束を行う紙葉類の短手方向の寸法に基づいて、印字する項目の数を調整することにより、テープに印字する長さを、印字箇所の範囲内に収まるように変更することが可能になる。
【００２０】
前記複数の項目にはそれぞれ、優先順位が設定されており、前記印字設定部は、前記印字箇所の範囲内に収まるように、前記テープに印字する項目の中から、前記優先順位が低い項目を除外する、としてもよい。
【００２１】
こうすることで、優先順位が高い項目、言い換えると、重要な項目であって印字する必要性が高い項目は、除外されることなくテープに印字され、優先順位が低くて、印字の必要性が低い項目は、印字箇所の範囲内に収まらないときには、除外される場合がある。優先順位を設定することによって、必要性の高い情報をテープに印字することを確保しながら、結束紙葉類において、側面に位置するテープ箇所に印字をしないことが可能になる。また、優先順位を設定することによって、複数の項目の中から、テープに印字する項目を、自動的に選択することが可能になる。印字設定部は、印字長さの変更を、自動的に行い得る。
【００２２】
前記印字設定部は、ユーザの入力操作に基づいて、前記複数の項目の優先順位を設定すると共に、前記ユーザが前記入力操作をするときに、短手方向の寸法が異なる前記紙葉類の種類毎に、設定された優先順位に従って前記テープに項目を印字した状態を、表示部に表示する、としてもよい。
【００２３】
ここで、ユーザは、紙葉類処理装置を利用するユーザであり、特にテープに印字する内容を設定する担当者である。前記の構成では、ユーザは、複数の項目の優先順位を、任意に設定することが可能になり、利便性が高まる。
【００２４】
また、その優先順位を設定すべく、ユーザが入力操作を行うときには、短手方向の寸法が異なる紙葉類の種類毎に、設定された優先順位に従ってテープに項目を印字した状態を、表示部に表示する。これにより、ユーザは、設定した優先順位に従って、結束紙葉類のテープに対してどのように印字がなされるかを、紙葉類の種類毎に、確認することが可能になる。その結果、ユーザは、必要に応じて、一旦設定した優先順位を入れ替えることが可能になり、紙葉類の種類に対応した所望の項目を、結束紙葉類に印字することが可能になる。
【００２５】
前記テープに印字する内容には、予め設定された最大文字数内で、ユーザが任意に内容を設定する項目が含まれ、前記印字設定部は、前記ユーザが設定した文字数が最大文字数よりも少ないときに、前記印字箇所の範囲内に収まるよう、当該項目の余剰の文字数分の空きスペースの少なくとも一部を詰める、としてもよい。
【００２６】
例えばオペレータ名や、金融機関名等の項目は、予め最大文字数を設定しておき、ユーザがその最大文字数内で、任意に内容を設定することを可能にする。ユーザが設定した文字数が最大文字数よりも少ないときに、余剰の文字数分のスペースは、空欄として当該項目の長さに含めることも可能であるが、前記の構成では、その余剰の文字数分の空きスペースの少なくとも一部を詰める。空きスペースの全部を詰めてもよい。こうすることで、当該項目の長さが短くなるから、テープに印字する長さを、印字箇所の範囲内に収めることが可能にある。この構成により、結束紙葉類のテープに印字する内容としては、必要な内容を印字しつつ、テープに印字する長さを短くすることによって、結束紙葉類において、側面に位置するテープ箇所には印字をしないことが可能になる。
【００２７】
前記テープに印字する内容には、予め設定された最大桁数内で、桁数が変化する項目が含まれ、前記印字設定部は、印字すべき桁数が最大桁数よりも少ないときに、前記印字箇所の範囲内に収まるよう、当該項目の余剰の桁数分の空きスペースの少なくとも一部を詰める、としてもよい。
【００２８】
桁数が変化する項目として、作成した結束紙葉類の通し番号を、具体例としてあげることができる。また、時刻も、１時、２時、３時等の一桁の時に対して、１１時、１２時、１３時等の二桁の時が存在する。分や秒も同様に一桁と二桁とが存在する。そのため、結束紙葉類を作成した時刻も、桁数が変化する項目の１つである。さらに、例えば、１日、２日等の一桁の日に対して、１１日、１２日等の二桁の日が存在する。従って、結束紙葉類を作成した日付も、桁数が変化する項目である。
【００２９】
このように桁数が変化する項目においては、最大桁数分を予め設定しておく一方で、テープに印字すべき桁数が、それよりも少なくなる場合がある。例えば、通し番号の最大桁数を三桁としたときに、通し番号が「１」であることは、印字すべき桁数が最大桁数よりも少ないことである。尚、通し番号「１」を、「００１」と表記することも、印字すべき桁数は、実質的に一桁であるため、印字すべき桁数が最大桁数よりも少ないことに含まれる。この場合「００１」の「００」は、余剰の桁数とみなすことができる。また、日の最大桁数を二桁としたときに、日付が１日であることは（これは、「０１（日）」と表記することも含む）、印字すべき桁数が最大桁数よりも少ないことである。
【００３０】
このように、テープに印字すべき桁数が最大桁数よりも少ないときに、当該項目の余剰の桁数分の空きスペースの少なくとも一部を詰めることによって、印字長さを短くすることが可能になる。その結果、結束紙葉類のテープに印字する内容としては、必要な内容を印字しつつ、結束紙葉類において、側面に位置するテープ箇所には印字をしないことが可能になる。
【００３１】
前記印字設定部は、前記印字箇所の範囲内に収まるように、印字する文字数を少なくする、としてもよい。
【００３２】
この構成は、テープに印字すべき総文字数が多くて、印字箇所の範囲内に収まらないときに、印字箇所の範囲からはみ出す文字を、強制的に印字しないことを含む。この構成でも、結束紙葉類において、側面に位置するテープ箇所に印字をしないことが実現する。
【００３３】
前記印字設定部は、結束を行う紙葉類の短手方向の寸法に基づいて、前記紙葉類の表面又は裏面のいずれか一方に位置するテープ箇所に印字する片面印字モードと、前記紙葉類の表面に位置するテープ箇所と、前記紙葉類の裏面に位置するテープ箇所とのそれぞれに印字する両面印字モードと、に切り替え、前記印字部は、印字モードに従って、前記テープに印字を行う、としてもよい。
【００３４】
この構成によると、印字長さが長くて、紙葉類の表面又は裏面のいずれか一方に位置するテープ箇所の範囲内に収まらないときには、両面印字モードに切り替える。こうすることで、紙葉類の表面に位置するテープ箇所と、紙葉類の裏面に位置するテープ箇所とのそれぞれに印字を行うことになり、印字箇所の範囲が拡大する。その結果、必要な内容をテープに印字しつつも、結束紙葉類において、側面に位置するテープ箇所に印字をすることが回避可能になる。
【００３５】
前記印字設定部は、結束対象の複数種類の紙葉類の短手方向の寸法に対応して、前記印字箇所の範囲内に収まるように、前記テープに印字する長さをそれぞれ設定しており、前記印字部は、結束を行う紙葉類の種類に基づいて、前記印字設定部が設定している印字長さに従って、前記印字箇所に印字を行う、としてもよい。
【００３６】
このように、結束対象の複数種類の紙葉類の短手方向の寸法に対応して、テープに印字する長さを設定しておけば、結束を行う紙葉類の種類に基づいて、設定している印字長さに従って、印字箇所に印字を行うことで、必要な内容をテープに印字する一方で、結束紙葉類において、側面に位置するテープ箇所に印字をしないことが可能になる。
【００３７】
ここで、テープに印字する長さの設定は、前述したように、複数種類の紙葉類の短手方向の寸法に対応して、印字する項目を設定することで行ってもよいし、最大桁数に対する余剰の文字数分の空きスペースの少なくとも一部を詰めることを、複数種類の紙葉類の短手方向の寸法に対応して設定することで行ってもよいし、複数種類の紙葉類の短手方向の寸法に対応してフォントサイズを設定することで行ってもよい。
【００３８】
前記印字設定部は、前記結束部が前記結束紙葉類を作成するときに、当該結束紙葉類における前記テープに印字をした状態を、表示部に表示する、としてもよい。
【００３９】
結束部が結束紙葉類を作成するときに、その結束紙葉類のテープに対してどのように印字がなされるかを、表示部に表示することによって、ユーザは、印字状態を認識することが可能になる。
【００４０】
前記印字設定部は、ユーザが、表示された印字状態に基づいて印字の形態を変更することが可能に構成されている、としてもよい。
【００４１】
印字状態を認識した結果、印字の形態を変更する必要があるとユーザが判断する場合がある。その場合に、ユーザが印字の形態を変更することを可能にすることで、結束紙葉類のテープに対し、所望の印字状態で印字することが可能になる。
【００４２】
前記印字設定部は、前記結束紙葉類の側面に位置するテープ箇所に印字をすることを禁止するモードと、当該テープ箇所に印字することを許容するモードとを、ユーザの入力操作に基づいて切り替え、前記印字部は、モードに従って、前記テープに印字を行う、としてもよい。
【００４３】
こうすることで、ユーザは、テープに対する印字の形態を、任意に切り替えることが可能であるから、紙葉類処理装置の利便性が高まる。
【発明の効果】
【００４４】
以上説明したように、前記の紙葉類処理装置によると、結束紙葉類の側面に位置するテープ箇所に印字しないようにすることができる。
【図面の簡単な説明】
【００４５】
【図１】紙幣処理装置の外観図である。
【図２】紙幣処理装置の概略構成図である。
【図３】結束スタッカ及び結束部の概略構成図である。
【図４】テープ輪作成部の斜視図である。
【図５】テープ把持部の上部を斜め下方から見た斜視図である。
【図６】紙幣処理装置の概略構成を示すブロック図である。
【図７】第２搬送部が紙幣を結束スタッカから抜き出した状態の図である。
【図８】第２搬送部が紙幣をテープ輪の側方まで搬送した状態の図である。
【図９】テープ把持部がテープの先端部を把持した状態の図である。
【図１０】テープ把持部が小テープ輪及び大テープ輪を作成した状態の図である。
【図１１】紙幣の厚み方向を向いて見たときの、紙幣が大テープ輪へ搬送されて、紙幣にテープが巻き付けられるまでの各部の動作説明図であって、（Ａ）は、紙幣が大テープ輪へ搬送される直前の状態、（Ｂ）は、紙幣が大テープ輪へ搬送された状態、（Ｃ）は、紙幣にテープが巻き付けられた状態を示す。
【図１２】クランプ部が紙幣を押圧したときのガイド部の状態の図である。
【図１３】テープの接合、切断及び押印の説明図である。
【図１４】結束紙幣の印字箇所の範囲を示す図である。
【図１５】幅の異なる２種類の紙幣に関する、テープの印字項目を例示する図である。
【図１６】幅の異なる２種類の紙幣に関する、テープの印字長さを例示する図である。
【図１７】印字項目の優先順位を設定する画面の一例である。
【図１８】設定した優先順位に基づく印字状態を示す設定画面の一例である。
【図１９】結束紙幣の作成時に、印字状態を示す画面の一例である。
【図２０】結束紙幣の表面側と裏面側との双方に印字箇所を設ける構成を説明する図である。
【発明を実施するための形態】
【００４６】
以下、実施形態を図面に基づいて詳細に説明する。
【００４７】
〈紙幣処理装置の概略構成〉
図１は、紙葉類処理装置の一例としての、紙幣処理装置１００の外観図を示し、図２は、紙幣処理装置１００の概略構成図を示す。
【００４８】
紙幣処理装置１００は、例えば銀行のテラーカウンタに設置され、ユーザ（つまり、オペレータ）によって使用される。紙幣処理装置１００は、バラ状態の紙幣を取り込み、所定の種類の紙幣を集積し、該紙幣を所定の結束枚数で結束して投出する。
【００４９】
紙幣処理装置１００は、紙幣が載置され、該紙幣を取り込むホッパ部２と、紙幣を識別する識別部３と、結束対象の紙幣を集積する結束スタッカ４と、結束対象でない紙幣を集積する非結束スタッカ５と、リジェクト紙幣を集積するリジェクトスタッカ６と、ホッパ部２から取り込まれた紙幣を、識別部３、結束スタッカ４、非結束スタッカ５及びリジェクトスタッカ６に搬送する第１搬送部７と、結束スタッカ４に集積された紙幣を所定の位置まで搬送する第２搬送部８と、第２搬送部８により搬送された紙幣を結束する結束部９と、結束された紙幣（以下、「結束紙幣」という）を搬送する第３搬送部１０と、結束紙幣を投出する投出部１１と、識別部３、結束スタッカ４、非結束スタッカ５、リジェクトスタッカ６、第１搬送部７、第２搬送部８、結束部９及び第３搬送部１０を収容する箱状の筐体１２とを備えている。
【００５０】
筐体１２は、上面１２１と、下面１２２と４つの側面とを有している。筐体１２は、卓上型である。つまり、筐体１２の下面１２２には、キャスタ等が設けられておらず、卓上に設置される構造となっている。
【００５１】
筐体１２の４つの側面のうちの１つの側面である第１側面１２３には、ホッパ部２及び投出部１１が設けられている。４つの側面のうちの１つの側面である第２側面１２４には、詳しくは後述する結束スタッカ４の第１取出口４７及び非結束スタッカ５の第２取出口５３が設けられている。第１側面１２３と第２側面１２４とは、隣接している。
【００５２】
筐体１２の内部は、紙幣の識別及び分類に関する処理を行う第１処理部１２６と、結束対象の紙幣の結束に関する処理を行う第２処理部１２７とに別れている。第２処理部１２７は、第１処理部１２６の上方に設けられている。第１処理部１２６には、ホッパ部２、識別部３、非結束スタッカ５及びリジェクトスタッカ６が含まれる。第２処理部１２７には、結束スタッカ４、第２搬送部８、結束部９及び第３搬送部１０が含まれる。第１搬送部７の大部分は、第１処理部１２６に含まれている。
【００５３】
結束スタッカ４は、第１結束スタッカ４Ａと第２結束スタッカ４Ｂとの２つのスタッカを含んでいる。第１結束スタッカ４Ａと第２結束スタッカ４Ｂはともに、結束対象の紙幣を集積する。結束対象の紙幣として集積する紙幣は、適宜設定することができる。結束対象の紙幣は、所定の種類の紙幣である。所定の種類は、金種、正券か損券か、紙幣の表裏、紙幣の向き、新券か旧券かなどによって特定される。ここでは、結束対象の紙幣は、所定の金種（例えば、１００元）であって且つ正券の紙幣である。所定の金種は、常に同じ金種とは限らず、複数の金種から選択された金種となる場合がある。ここで、識別部３によって正常な紙幣として識別された紙幣を「正常紙幣」と、識別部３で正常な紙幣として識別されなかった紙幣を「異常紙幣」と、斜行や重送等により搬送状態が異常な紙幣を「搬送異常紙幣」と称する。例えば、正常な紙幣か否かを判断する条件の１つとしては、記番号が識別可能であるか否かが挙げられる。ただし、それとは異なる条件をもって正常な紙幣か否かを判断してもよいし、それに別の条件を加えて正常な紙幣か否かを判断してもよい。また、正常紙幣であっても搬送先（結束スタッカ、非結束スタッカ等）が指定されていない種類の紙幣を「指定外紙幣」と称する。また、正常紙幣のうち、汚れや破れ等が比較的少ない状態の紙幣を「正券」と、正常紙幣のうち、汚れや破れ等が比較的多い状態の紙幣を「損券」と称する。結束スタッカ４は、集積部の一例である。
【００５４】
第１及び第２結束スタッカ４Ａ，４Ｂは、第２処理部１２７内において実質的に上下方向に並んで配置されている。第１結束スタッカ４Ａは、第２結束スタッカ４Ｂの上方に位置している。第１結束スタッカ４Ａと第２結束スタッカ４Ｂとは、同様の構成をしている。２つのスタッカを区別しないときには、単に「結束スタッカ４」と称する。結束スタッカ４の詳細な構成については後述する。
【００５５】
非結束スタッカ５は、第１及び第２非結束スタッカ５Ａ，５Ｂの２つのスタッカを含んでいる。第１及び第２非結束スタッカ５Ａ，５Ｂは、第１処理部１２６内において実質的に水平方向に並んで配置されている。第２非結束スタッカ５Ｂの方が第１非結束スタッカ５Ａよりもホッパ部２に近い位置に配置されている。２つのスタッカを区別しないときには、単に「非結束スタッカ５」と称する。非結束スタッカ５に集積する紙幣は適宜設定することができる。ここでは、第１非結束スタッカ５Ａは、前記所定の金種であって且つ損券を集積する。第２非結束スタッカ５Ｂは、前記所定の金種以外の金種の紙幣を集積する。
【００５６】
リジェクトスタッカ６は、リジェクト紙幣を集積する。リジェクトスタッカ６は、第１及び第２非結束スタッカ５Ａ，５Ｂよりもホッパ部２に近接している。リジェクトスタッカ６は、第１及び第２非結束スタッカ５Ａ，５Ｂよりも少し上方に位置している。リジェクトスタッカ６に集積する紙幣は適宜設定することができる。ここでは、リジェクトスタッカ６は、「指定外紙幣」、「異常紙幣」及び「搬送異常紙幣」をリジェクト紙幣として集積する。
【００５７】
ホッパ部２は、第１側面１２３のうち第１処理部１２６に対応する部分に設けられ、投出部１１は、第１側面１２３のうち第２処理部１２７に対応する部分に設けられている。
【００５８】
ホッパ部２は、紙幣が載置される載置台２１と、載置台２１上に載置された紙幣を案内する２つのガイド部２２，２２と、取込ローラ２３と、紙幣を取り込む取込口２４と、載置台２１上の紙幣を検知する紙幣センサ２５とを有している。本実施形態では、紙幣が短手方向に取り込まれていくように、紙幣がホッパ部２に載置される。
【００５９】
取込口２４は、図１に示すように、載置台２１と第１側面１２３とが交わる隅部に形成されている。載置台２１は、取込口２４に近づくに従って下方に位置するように傾斜している。これにより、載置台２１上の紙幣は、自然と取込口２４の方へ向かうようになっている。載置台２１上に載置された紙幣は、取込口２４から筐体１２内へ取り込まれる。
【００６０】
また、紙幣センサ２５は、取込口２４の近傍に設けられている。紙幣センサ２５は、光を送信する送信部と光を受信する受信部とを有し、送信部から出射されて受信部に到達する光が遮断されることによって紙幣を検知する。尚、後述する第１紙幣センサ４５、第２紙幣センサ４６、集積センサ５２、集積センサ６２、通過センサ７４、第１テープセンサ９２１０及び第２テープセンサ９２１１も同様の構成をしている。紙幣センサ２５は、載置台２１上に載置された紙幣により光が遮断されるように配置されている。つまり、紙幣センサ２５は、光が遮断されることによって、載置台２１上に紙幣が載置されていることを検知することができる。
【００６１】
ガイド部２２，２２は、その間隔を調整可能に構成されている。つまり、ガイド部２２，２２の間隔は、載置台２１上に載置された紙幣に合わせて調整される。
【００６２】
取込ローラ２３は、キッカローラ２３ａと、フィードローラ２３ｂと、ゲートローラ２３ｃとを有している。キッカローラ２３ａは、部分的に載置台２１から露出しており、載置台２１上の紙幣のうち一番下の紙幣と接触している。キッカローラ２３ａは、載置台２１上に載置された紙幣のうち一番下の紙幣を取込口２４へ送り込む。こうして、紙幣が１枚ずつ取込口２４から取り込まれていく。取込口２４から送り込まれた紙幣は、フィードローラ２３ｂとゲートローラ２３ｃとで１枚ずつに分離されて、筐体１２内へ取り込まれる。取り込まれた紙幣は、第１搬送部７へ送られる。
【００６３】
投出部１１は、結束紙幣が投出される投出口１１１を有している。投出部１１においては、投出口１１１を介して、結束紙幣が紙幣の短手方向に投出される。
【００６４】
第１搬送部７は、搬送ベルト等で構成されている。第１搬送部７は、主搬送路７１と、主搬送路７１から分岐する第１〜第４分岐路７２ａ〜７２ｄと、主搬送路７１からの分岐箇所に設けられた振り分け機構７３と、紙幣の通過を検知する複数の通過センサ７４とを有している。第１搬送部７は、紙幣をその短手方向に搬送していく。第１搬送部７は、搬送部の一例である。
【００６５】
主搬送路７１は、取込ローラ２３から第１結束スタッカ４Ａまで延びている。第１分岐路７２ａは、主搬送路７１の最も上流側に位置しており、第１分岐路７２ａから下流側に向かって、第２分岐路７２ｂ、第３分岐路７２ｃ、第４分岐路７２ｄがこの順で位置している。第１〜第４分岐路７２ａ〜７２ｄのそれぞれを区別しないときには、単に分岐路７２と称する。第１分岐路７２ａは、リジェクトスタッカ６まで延びている。第２分岐路７２ｂは、第２非結束スタッカ５Ｂまで延びている。第３分岐路７２ｃは、第１非結束スタッカ５Ａまで延びている。第４分岐路７２ｄは、第２結束スタッカ４Ｂまで延びている。
【００６６】
振り分け機構７３は、ソレノイド（図示省略）によって駆動される。振り分け機構７３は、主搬送路７１を搬送中の紙幣を分岐路７２へ分岐させるか否かを振り分ける。各振り分け機構７３の上流側には、通過センサ７４が設けられている。通過センサ７４は、紙幣センサ２５と同様の構成をしている。つまり、通過センサ７４の受信部における光の受信が中断され、その後に光の受信が再開されたことをもって、紙幣の通過を検知することができる。振り分け機構７３は、紙幣を分岐路７２へ導く際には、その直上流の通過センサ７４が紙幣の通過を検知したことをもって作動する。
【００６７】
識別部３は、主搬送路７１のうち第１分岐路７２ａよりも上流側に設けられている。識別部３は、搬送される紙幣の一枚一枚について、その金種、真偽及び正損を識別するように構成されている。識別部３は、詳細な図示は省略するが、紙幣処理装置１００内においてユニット化されており、この識別部３には、紙幣処理装置１００全体の制御を行う制御部１２０とは別の制御基板を有している。この制御基板には、紙幣の識別に必要な情報を含むと共に、識別部３が識別を行う際に参照する識別用テンプレート３３が含まれている。また、識別部３は、ラインセンサ３１及び磁気センサ３２を有し、紙幣の特徴を取得する。識別部３は、紙幣の特徴が、識別用テンプレート３３に含まれる各種紙幣の特徴と一致するかを判定し、金種、真偽、及び正損を識別する。
【００６８】
尚、識別部３は、紙幣の特徴を取得するためのセンサであれば、ラインセンサ及び磁気センサに限られず、赤外線センサ及び紫外線センサ等のセンサを有していてもよい。ラインセンサ３１は、紙幣に印字されている記番号を光学的に読み取る機能も有している。尚、識別部３におけるセンサ以外の機能を、後で述べる制御部１２０が行ってもよい。
【００６９】
結束部９は、集積された紙幣を結束する。詳しくは後述するが、結束部９は、テープ輪Ｌを作成し、該テープ輪Ｌの中へ紙幣が搬送された後にテープを引き戻し、紙幣をテープで結束する。
【００７０】
第２搬送部８は、結束スタッカ４に集積された紙幣を把持して、該紙幣をテープ輪Ｌの中へ搬送する。第２搬送部８は、紙幣を把持する把持ユニット８１と、把持ユニット８１を水平方向であって且つ紙幣の短手方向（以下、「第１水平方向」という）へ移動させる第１水平移動機構と、把持ユニット８１を水平方向であって且つ紙幣の長手方向（以下、「第２水平方向」という）へ移動させる第２水平移動機構と、把持ユニット８１を上下方向へ移動させる上下移動機構とを有している。第２搬送部８は、紙葉類搬送部の一例である。
【００７１】
把持ユニット８１は、上アーム部８１ａと、上アーム部８１ａと相対向する下アーム部８１ｂと、上アーム部８１ａを上下方向へ移動させる把持機構とを有している。図１１等に示すように、上アーム部８１ａは、互いに平行に延びる３本の指部と、３本の指部を連結する連結部とを有している。同様に、下アーム部８１ｂは、互いに平行に延びる３本の指部と、３本の指部を連結する連結部とを有している。把持機構は、上アーム部８１ａを上下方向に移動可能に支持すると共に、モータ及び駆動ベルトによって上アーム部８１ａを上下に移動させる。これにより、上アーム部８１ａと下アーム部８１ｂとで紙幣を把持することができる。
【００７２】
第１水平移動機構は、把持ユニット８１を第１水平方向に移動可能に支持しており、モータ及び駆動ベルトによって把持ユニット８１を第１水平方向に移動させる。
【００７３】
上下移動機構は、第１水平移動機構を上下方向に移動可能に支持しており、モータ及び駆動ベルトによって第１水平移動機構を上下方向に移動させる。
【００７４】
第２水平移動機構は、上下移動機構を第２水平方向に移動可能に支持しており、モータ及び駆動ベルトによって上下移動機構を第２水平方向に移動させる。
【００７５】
このように、把持ユニット８１は、第１水平移動機構、第２水平移動機構及び上下移動機構によって直交する３軸に沿った方向に移動可能に構成されている。
【００７６】
第３搬送部１０は、結束紙幣を投出部１１まで搬送する。第３搬送部１０は、上把持部１０１と、下把持部１０２と、上把持部１０１及び下把持部１０２を第１水平方向へ移動させる水平移動機構とを有している。水平移動機構は、上把持部１０１を第１水平方向へ移動させる際に上把持部１０１を上下方向にも移動させる。詳しくは、第３搬送部１０は、結束部９の側方を第１水平方向へ通過するように構成されている。第３搬送部１０は、結束部９に対して投出部１１と反対側に位置するときには、上把持部１０１は下把持部１０２から上方へ十分に離間している。上把持部１０１は、この位置から結束部９の結束紙幣へ近づくにつれて下方へ移動し、結束紙幣に到達したときには上把持部１０１と下把持部１０２とで結束紙幣を把持した状態となる。上把持部１０１及び下把持部１０２は、結束紙幣を把持した状態で結束紙幣を投出部１１近傍まで搬送する。上把持部１０１は、投出部１１の近傍において、投出部１１へ近づくにつれて上方へ移動する。その結果、上把持部１０１と下把持部１０２とで把持された結束紙幣は、投出部１１において上把持部１０１及び下把持部１０２による把持が解除され、投出部１１へ投出される。
【００７７】
筐体１２の第２側面１２４には、図１に示すように、紙幣処理装置１００への情報を入力する操作部であり且つ紙幣処理装置１００の情報を表示する表示部であるタッチパネル１７が設けられている。タッチパネル１７は、紙幣処理装置１００を操作するオペレータに対するヒューマンインターフェース部分である。
【００７８】
〈結束スタッカ４の詳細構成〉
図３に、結束スタッカ４及び結束部９の概略構成図を示す。
【００７９】
結束スタッカ４は、紙幣Ｂを積み重ねて集積する。結束スタッカ４は、図１〜３に示すように、紙幣Ｂを集積する容器４０と、容器４０内に配置され、紙幣Ｂが載置されるステージ４１と、搬送されてきた紙幣Ｂを容器４０へ搬入する羽根車４２と、後述する第１取出口４７を開閉する扉４３と、容器４０の天井を規定する天板４４と、容器４０内の紙幣Ｂを検知する第１紙幣センサ４５と、容器４０内の所定高さの紙幣Ｂを検知する第２紙幣センサ４６とを有している。
【００８０】
容器４０は、紙幣Ｂの搬送方向における前側の前壁部４０ａが搬送方向において前後に移動可能に構成されている。前壁部４０ａの位置は、結束対象に設定された紙幣Ｂの短手方向寸法に応じて調整される。具体的には、容器４０内に搬入される紙幣Ｂが前壁部４０ａに当たって、そのまま容器４０の底に落下していき、最終的に紙幣Ｂが前壁部４０ａに当接した状態で集積される位置に前壁部４０ａが配置される。また、前壁部４０ａは、上下に開閉するように構成されている。前壁部４０ａは、集積された紙幣Ｂを第２搬送部８により搬送する際に開いた状態となる。
【００８１】
ステージ４１は、上下に移動可能に構成されている。例えば、ステージ４１は、紙幣Ｂの集積量に応じて上下に移動する。
【００８２】
容器４０は、筐体１２の第２側面１２４に開口している。つまり、第２側面１２４には、図１に示すように、結束スタッカ４に集積された紙幣Ｂを筐体１２の外部に取り出すための第１取出口４７が設けられている。
【００８３】
扉４３は、結束スタッカ４ごとに個別に設けられている。扉４３は、第１取出口４７を開放する開状態と第１取出口４７を閉鎖する閉状態との間で所定の回転軸回りに回動自在に構成され、手動で開閉される。扉４３は、外部から内部を目視可能な材料で構成されている。例えば、扉４３は、透明又は半透明な材料（例えば、ガラスや樹脂）で構成されている。
【００８４】
羽根車４２は、可撓性を有する複数の羽を有しており、容器４０内に落下する紙幣Ｂの、搬送方向後側の端部を叩いて、紙幣Ｂの落下を促進させる役割を有している。紙幣Ｂが容器４０内に連続的に搬入される場合であっても、後の紙幣Ｂが先の紙幣Ｂの後端部に入り込むことを防止し、紙幣Ｂを１枚ずつ順に上方に積み重ねていくことができる。
【００８５】
第１紙幣センサ４５は、１つの結束スタッカ４につき複数設けられている。本実施形態では、容器４０内において紙幣Ｂの搬送方向における異なる位置に２つの第１紙幣センサ４５，４５が設けられている。第１紙幣センサ４５は、紙幣センサ２５と同様の構成をしている。各第１紙幣センサ４５は、容器４０内の紙幣Ｂの集積方向に光を送信するように配置されている。つまり、第１紙幣センサ４５は、光が遮断されることによって、容器４０内に紙幣Ｂが存在することを検知することができる。また、搬送方向の異なる位置に２つの第１紙幣センサ４５，４５を設けることによって、容器４０内において搬送方向における紙幣Ｂの位置にばらつきがあったとしても、何れかの第１紙幣センサ４５により紙幣Ｂの存在を検知することができる。尚、第１紙幣センサ４５は、紙幣Ｂの搬送方向及び紙幣Ｂの厚み方向の両方に直交する方向（図２における紙面奥行き方向）における異なる位置に複数設けられていてもよい。
【００８６】
第２紙幣センサ４６は、容器４０内において所定の高さに位置する紙幣Ｂを検知するように構成されている。第２紙幣センサ４６は、紙幣センサ２５と同様の構成をしている。第２紙幣センサ４６は、前記所定の高さよりも高い位置に紙幣Ｂが存在するときには、送信部から受信部に向かう光が該紙幣Ｂにより遮断される一方、紙幣Ｂが前記所定の高さよりも高い位置に存在しないときには、送信部からの光が受信部に到達するように配置されている。
【００８７】
〈結束部９の詳細構成〉
結束部９は、図３に示すように、テープＴを供給するテープ供給部９１と、テープＴでテープ輪Ｌを作成するテープ輪作成部９２と、紙幣Ｂを前記テープＴで結束するときに該紙幣Ｂを集積方向に押圧するクランプ部９４と、テープＴを紙幣Ｂに巻き付けた状態でテープＴ同士を接合するヒータ９５と、テープＴを紙幣Ｂに巻き付けられていない位置で切断するカッタ９６と、テープＴに印刷する印刷部（つまり、印字部に相当）９７と、テープＴに押印する押印部９８と、を有している。
【００８８】
テープ供給部９１は、テープＴがリールに巻き付けられたテープリール９１１と、テープリール９１１から引き出されるテープＴを搬送するテープ搬送部９１２とを有している。テープ搬送部９１２は、テープＴを所定の搬送経路に沿って搬送する。テープ搬送部９１２は、ガイド（図示省略）と複数のローラ対とを有している。
【００８９】
テープ輪作成部９２は、テープＴでテープ輪Ｌを作成し、集積された紙幣Ｂが該テープ輪Ｌの中に配置された後に該テープＴを引き戻して該テープＴを該紙幣Ｂに巻き付ける。テープ輪作成部９２は、テープＴの送り出し及び引き戻しを行う送り出しローラ対９２０と、テープＴの先端部を把持するテープ把持部９２１と、テープＴでテープ輪Ｌを作成する際にテープ輪Ｌの形状を規定するガイド部９２５と、テープＴの先端を検知する第１テープセンサ９２１０と、大テープ輪Ｌ２が作成されたことを検知する第２テープセンサ９２１１とを有している。テープ輪作成部９２は、テープ把持部９２１によりテープＴで小テープ輪Ｌ１を作成した後、送り出しローラ対９２０によりテープＴを送り出すことによって該小テープ輪Ｌ１を大きくして大テープ輪Ｌ２を作成する。その際、ガイド部９２５は、テープＴを案内して、大テープ輪Ｌ２の形を規定し、第２テープセンサ９２１１は、大テープ輪Ｌ２の形成を検知する。
【００９０】
送り出しローラ対９２０は、テープ送りモータ９２１２（図６参照）により駆動され、テープ輪Ｌを作成する際にテープＴを送り出す。送り出しローラ対９２０は、テープ搬送部９１２の下流端部に位置し、テープ搬送部９１２の一部も構成する。送り出しローラ対９２０は、送り出し部の一例である。尚、テープ搬送部９１２のローラ対も、テープ送りモータ９２１２によりベルト及びギア等を介して駆動される。
【００９１】
また、テープリール９１１には、テープＴの巻き戻し方向にテープリール９１１を回転させるテープリールモータ９１１１（図６参照）が設けられており、紙幣Ｂがテープ輪Ｔの中へ配置された後に、テープＴを紙幣Ｂに巻き付ける際には、このテープリールモータ９１１１とテープ送りモータ９２１２とがテープＴを巻き戻す方向に回転する。テープ送りモータ９２１２及びテープリールモータ９１１１は共に、ステッピングモータにより構成されている。
【００９２】
第１テープセンサ９２１０は、テープＴの搬送路中であって、送り出しローラ対９２０とテープ把持部９２１との間に設けられている。第１テープセンサ９２１０は、紙幣センサ２５と同様の構成をしている。第１テープセンサ９２１０は、光が遮断されることによってテープＴを検知する。例えば、送り出しローラ対９２０がテープＴを引き戻し、第１テープセンサ９２１０において光が遮断された状態から光が受信される状態となったことをもってテープＴの先端を検知することができる。
【００９３】
テープ把持部９２１は、送り出しローラ対９２０から送り出されるテープＴを受け取ることが可能な位置に配置されている。テープ把持部９２１は、図９、１０に示すように、ベース部９２２と、可動部９２３との間にテープＴを把持可能に構成され且つ、テープＴを把持した状態で回転可能に構成されている。テープ把持部９２１は、送り出しローラ対９２０から送り出されたテープＴの先端部を把持した状態で回転することによってテープ輪Ｌを作成する。
【００９４】
ガイド部９２５は、大テープ輪Ｌ２を作成するときに、該大テープ輪Ｌ２の外周面に接触して該大テープ輪Ｌ２の形状を規定する。ガイド部９２５は、大テープ輪Ｌ２を略長方形状、詳しくは、角部が湾曲した長方形状に規定する。
【００９５】
図４に、テープ輪作成部９２の斜視図を示す。ガイド部９２５は、大テープ輪Ｌ２の下側から大テープ輪Ｌ２の外周面に接触する下ガイド部９２６と、水平方向から大テープ輪Ｌ２の外周面に接触する第１側方ガイド部９２７及び第２側方ガイド部９２８と、長方形の４つの角部に対応する４つの第１〜第４コーナーガイド部９２９ａ〜９２９ｄとを有している。
【００９６】
下ガイド部９２６は、テープＴの幅方向の位置を規制する一対の側壁９２６ａ，９２６ａと底壁９２６ｂ（図９、１０及び１２参照）とを有し、溝状に形成されている。底壁９２６ｂの幅は、テープ幅よりも広い。図１３に示すように、底壁９２６ｂには、テープＴの摺動性を向上させる複数のローラ９２６ｃ，９２６ｃ，…が設けられている。底壁９２６ｂには、後述する押印部９８のスタンプ９８１が貫通する貫通孔９２６ｄが設けられている。底壁９２６ｂの長手方向両端部には、第１コーナーガイド部９２９ａ及び第２コーナーガイド部９２９ｂが設けられている。第１コーナーガイド部９２９ａは、下ガイド部９２６と第１側方ガイド部９２７とで形成される角部に位置するテープＴを湾曲させる。第２コーナーガイド部９２９ｂは、下ガイド部９２６と第２側方ガイド部９２８とで形成される角部に位置するテープＴを湾曲させる。第１コーナーガイド部９２９ａ及び第２コーナーガイド部９２９ｂはそれぞれ、２枚の板で構成されている（図４も参照）。２枚の板はそれぞれ、凹状に湾曲する端縁を有し、互いに対向する状態で底壁９２６ｂに立設されている。
【００９７】
下ガイド部９２６は、移動機構が設けられており、移動機構によって上下に移動可能に構成されている。この移動機構は、後述する下クランプ部９４３，９４４の移動機構と共通である。
【００９８】
第１側方ガイド部９２７は、下ガイド部９２６の長手方向の結束スタッカ４側の端部において上下方向に延びている。第１側方ガイド部９２７は、側壁９２７ａと底壁９２７ｂとを有し、溝状に形成されている。側壁９２７ａは、テープＴの幅方向の位置を規制する。底壁９２７ｂの幅は、テープ幅よりも広い。底壁９２７ｂには、第１コーナーガイド部９２９ａが通過する２本のスリットが形成されている。
【００９９】
第２側方ガイド部９２８は、下ガイド部９２６の長手方向の投出部１１側の端部において上下方向に延びている。第２側方ガイド部９２８は、略平板状に形成され、第１側方ガイド部９２７の側壁９２７ａに相当する部分が設けられていない。第２側方ガイド部９２８は、支持部によって上下に移動可能に支持されると共に、リンクを介して下ガイド部９２６に連結されている。これにより、第２側方ガイド部９２８は、下ガイド部９２６の上昇に連動して上昇し、下ガイド部９２６の下降に連動して下降する。尚、第２側方ガイド部９２８の移動量は、リンクにより増幅されている。第２側方ガイド部９２８は、結束紙幣Ｂを搬送するときに、該結束紙幣Ｂの搬送を阻害しないように上方へ退避するように構成されている。
【０１００】
また、第１コーナーガイド部９２９ａ及び第２コーナーガイド部９２９ｂの上方であって、テープ把持部９２１と略同じ高さには、第３コーナーガイド部９２９ｃ及び第４コーナーガイド部９２９ｄが設けられている。第３コーナーガイド部９２９ｃは、第１側方ガイド部９２７に隣接して設けられている。第３コーナーガイド部９２９ｃは、詳細な図示は省略するが、２枚の板を有している。２枚の板は、凹状に湾曲する端縁を有し、互いに対向する状態で底壁９２７ｂに立設されている。第４コーナーガイド部９２９ｄは、第２側方ガイド部９２８に隣接して設けられている。第４コーナーガイド部９２９ｄは、凹状に湾曲した湾曲面を有するブロックで形成されている。以下、第１〜第４コーナーガイド部９２９ａ〜９２９ｄを特に区別しないときには、単にコーナーガイド部９２９と称する場合がある。
【０１０１】
第２テープセンサ９２１１は、紙幣センサ２５と同様の構成をし、光が遮断されることによってテープＴを検知する。第２テープセンサ９２１１の受信部は、図４に示すように、第４コーナーガイド部９２９ｄに取り付けられている。第２テープセンサ９２１１の送信部は、該送信部からの光が第４コーナーガイド部９２９ｄに案内されているテープＴによって遮断される位置に配置されている。つまり、第２テープセンサ９２１１は、送信部が光を送信しても受信部が光を受信しないことをもって、第４コーナーガイド部９２９ｄがテープＴを案内していること、即ち、テープ輪Ｌが所定の大きさになったことを検知する。
【０１０２】
クランプ部９４は、紙幣Ｂを前記テープＴで結束するときに該紙幣Ｂを集積方向に押圧する。クランプ部９４は、紙幣Ｂのうち、テープＴで結束される結束予定部分の近傍部分を押圧する。クランプ部９４は、図４，５に示すように、テープ輪Ｌの中へ搬送された紙幣Ｂの上方に設けられた一対の上クランプ部９４１，９４２と、該紙幣Ｂの下方に設けられた一対の下クランプ部９４３，９４４と、一方の上クランプ部９４２及び下クランプ部９４３，９４４を上下に移動させる移動機構とを有している。
【０１０３】
上クランプ部９４１，９４２は、テープ幅方向において、テープＴの両側に設けられている。第２搬送部８から遠い方の上クランプ部９４１は、固定されており、上下に移動不能である。一方、第２搬送部８に近い方の上クランプ部９４２は、上下に移動可能に構成されている。両者を区別する場合には、前者を固定上クランプ部９４１と称し、後者を可動上クランプ部９４２と称する。
【０１０４】
固定上クランプ部９４１は、第１及び第２当接部９４１ａ，９４１ｂを有している。第１及び第２当接部９４１ａ，９４１ｂは、紙幣Ｂの短手方向に並んでいる。第１当接部９４１ａと第２当接部９４１ｂとは、同じ高さに位置している。尚、第１当接部９４１ａと第２当接部９４１ｂとの間には、テープ把持部９２１のベース部９２２が配置されている。ベース部９２２は、第１及び第２当接部９４１ａ，９４１ｂよりも低い位置に位置している。
【０１０５】
一方、可動上クランプ部９４２は、第１〜第３当接部９４２ａ〜９４２ｃを有している。第１〜第３当接部９４２ａ〜９４２ｃは、紙幣Ｂの短手方向に並んでいる。第３当接部９４２ｃは、該短手方向において第１当接部９４２ａと第２当接部９４２ｂとの間に位置している。第１当接部９４２ａと第２当接部９４２ｂとは、同じ高さに位置している。第３当接部９４２ｃは、第１当接部９４２ａ及び第２当接部９４２ｂよりも低い位置に位置している。可動上クランプ部９４２は、第１当接部９４２ａ及び第２当接部９４２ｂが固定上クランプ部９４１の第１当接部９４１ａ及び第２当接部９４１ｂと同じ高さになるクランプ位置と、第３当接部９４２ｃが固定上クランプ部９４１の第１当接部９４１ａ及び第２当接部９４１ｂよりも高くなる退避位置との間で上下に移動する。尚、可動上クランプ部９４２がクランプ位置に位置するときには、第３当接部９４２ｃは、テープ把持部９２１のベース部９２２と略同じ高さに位置している。
【０１０６】
下クランプ部９４３，９４４は、テープ幅方向において、テープＴの両側に設けられている。第２搬送部８から遠い方の下クランプ部９４３と第２搬送部８に近い方の下クランプ部９４４とは、同じ構成をしている。下クランプ部９４３は、第１及び第２当接部９４３ａ，９４３ｂを有している。第１及び第２当接部９４３ａ，９４３ｂは、紙幣Ｂの短手方向に並んでいる。第１当接部９４３ａと第２当接部９４３ｂとは、同じ高さに位置している。第１及び第２当接部９４３ａ，９４３ｂはそれぞれ、固定上クランプ部９４１の第１及び第２当接部９４１ａ，９４１ｂと対向している。下クランプ部９４４は、第１及び第２当接部９４４ａ，９４４ｂを有している。第１及び第２当接部９４４ａ，９４４ｂは、紙幣Ｂの短手方向に並んでいる。第１当接部９４４ａと第２当接部９４４ｂとは、同じ高さに位置し且つ、下クランプ部９４３の第１当接部９４３ａと第２当接部９４３ｂとも同じ高さに位置している。第１及び第２当接部９４４ａ，９４４ｂはそれぞれ、可動上クランプ部９４２の第１及び第２当接部９４２ａ，９４２ｂと対向している。
【０１０７】
下クランプ部９４３，９４４は、上下に移動可能に構成されている。本実施形態では、下クランプ部９４３，９４４は、ガイド部９２５の下ガイド部９２６に取り付けられており、下ガイド部９２６と一体的に上下に移動する。つまり、下クランプ部９４３，９４４を上下に移動させる移動機構は、下ガイド部９２６の移動機構と共通である。
【０１０８】
ヒータ９５は、テープＴを紙幣Ｂに巻き付けた状態でテープＴ同士を接合する。ヒータ９５は、テープＴ同士を熱溶着する。ヒータ９５は、接合部の一例である。
【０１０９】
カッタ９６は、テープＴを紙幣Ｂに巻き付けられていない部分、即ち、テープＴのうち紙幣Ｂを結束して余った部分を切断する。カッタ９６の先端は、鋸歯状の切断刃が設けられている。カッタ９６は、図４に示すように、両側端縁において外方に突出するガイド片９６ａを有している。カッタ９６は、切断部の一例である。
【０１１０】
ヒータ９５及びカッタ９６は、ユニット化されて、テープ輪Ｌの中へ配置される紙幣Ｂに対して押印部９８とは反対側、具体的には、紙幣Ｂの集積方向において押印部９８とは反対側、即ち、テープ把持部９２１の上方に配置されている。
【０１１１】
より詳しくは、ヒータ９５及びカッタ９６は、第１及び第２テープ押え９９１，９９２と共にユニット化されている。第１及び第２テープ押え９９１，９９２は、第１水平方向に並んで配設されている。第１及び第２テープ押え９９１，９９２はそれぞれ、平板状の部材であり、下端面がテープ幅方向に延びている。ヒータ９５及びカッタ９６は、第１及び第２テープ押え９９１，９９２の間に配設されている。
【０１１２】
ヒータ９５、カッタ９６、第１テープ押え９９１及び第２テープ押さえ９９２は、上下方向に移動可能に構成されている。テープＴの接合及び切断時に、ヒータ９５、カッタ９６、第１テープ押え９９１及び第２テープ押さえ９９２は、テープ把持部９２１へ向かって下降する。図１３に示すように、第１テープ押え９９１は、ベース部９２２に設けられた第１凹溝９２２ｃに嵌まり、第１凹溝９２２ｃの底面との間でテープＴを挟持するように構成されている。第２テープ押え９９２は、可動部９２３との間でテープＴを挟持するように構成されている。ヒータ９５は、ベース部９２２に設けられた第１凹溝９２２ｃと第２凹溝９２２ｄとの間の部分でテープＴを接合する。カッタ９６は、ベース部９２２の第２凹溝９２２ｄ内に進入してテープＴを切断する。
【０１１３】
印刷部９７は、図３に示すように、テープ搬送部９１２に設けられている。印刷部９７は、テープ搬送部９１２により搬送されるテープＴに印字を行う印刷ヘッドを有している。印刷部９７は、例えば、結束される紙幣Ｂに関連する情報（例えば、金種、日時、連続番号等）をテープＴに印字する。印刷部９７がテープに対して印刷する内容に関しては、後で、詳述する。印刷部９７の印字位置は、印字が押印部９８による押印と重ならないように、押印部９８による押印予定部分に対してテープ幅方向にずれている。
【０１１４】
押印部９８は、前記クランプ部９４で紙幣Ｂを圧縮し且つ該紙幣ＢにテープＴを巻き付けた状態で該テープＴに押印する。押印部９８は、例えば、結束される紙幣Ｂに関連する印（例えば、金融機関印、正券又は損券等の紙幣の種類を表す印等）をテープＴに押印する。押印部９８は、図４に示すように、テープ輪Ｌの中へ配置される紙幣Ｂに対してヒータ９５及びカッタ９６とは反対側、具体的には、紙幣Ｂの集積方向においてヒータ９５及びカッタ９６とは反対側に配置されている。押印部９８は、スタンプ９８１と、スタンプ９８１を上下方向に移動させる移動機構９８２とを有している。移動機構９８２がスタンプ９８１を上方へ移動させることによって、スタンプ９８１は、紙幣Ｂに巻き付けられたテープＴに紙幣Ｂの集積方向から押印する。押印部９８は、下ガイド部９２６と一体的に設けられており、下ガイド部９２６が上下方向に移動するときに下ガイド部９２６と一体的に上下方向に移動する。スタンプ９８１は、下ガイド部９２６の短手方向、即ち、テープＴの幅方向において、下ガイド部９２６の一対の側壁９２６ａ，９２６ａの間に配置されている。ただし、スタンプ９８１は、通常状態においては、下ガイド部９２６の底壁９２６ｂの貫通孔９２６ｄの下方に配置され、底壁９２６ｂよりも上方へ突出していない。スタンプ９８１は、移動機構９８２により上方へ移動させられることによって、貫通孔９２６ｄを貫通して、底壁９２６ｂよりも上方へ突出した状態となり、テープＴに押印する（図１３も参照）。
【０１１５】
〈紙幣処理装置のシステム構成〉
図６に、紙幣処理装置１００の概略構成を示すブロック図を示す。
【０１１６】
紙幣処理装置１００は、例えば周知のマイクロコンピュータをベースとした制御部１２０を備えている。制御部１２０は、各種の情報を記憶する記憶部１２０１を有している。制御部１２０には、前述したホッパ部２、識別部３、結束スタッカ４、非結束スタッカ５、リジェクトスタッカ６、第１搬送部７、第２搬送部８、結束部９、第３搬送部１０及びタッチパネル１７が、信号の送受信可能に接続されている。また、制御部１２０には、紙幣センサ２５、第１紙幣センサ４５、第２紙幣センサ４６、非結束スタッカ５の紙幣の有無を検知する集積センサ５２、リジェクトスタッカ６の紙幣の有無を検知する集積センサ６２、通過センサ７４、第１テープセンサ９２１０及び第２テープセンサ９２１１が接続され、それらの検出信号が入力されるように構成されている。制御部１２０は、タッチパネル１７からの入力信号及び各種センサからの検知信号等に基づいて制御信号を生成し、ホッパ部２等へ該制御信号を出力する。ホッパ部２等は、その制御信号に従って動作する。例えば、結束スタッカ４を例に挙げると、容器４０の前壁部４０ａ、ステージ４１及び羽根車４２が制御部１２０により制御される。
【０１１７】
〈紙幣処理装置の動作説明〉
以下、紙幣処理装置１００の入金処理について説明する。入金処理においては、バラ状態の紙幣が分類され、所定のスタッカに集積され、さらには、所定の紙幣については結束される。以下では、結束対象の所定の一種類の正券紙幣を第１及び第２結束スタッカ４Ａ，４Ｂに所定枚数ずつ交互に集積し、該所定枚数集積した紙幣を順次、結束部９により結束する同一種類結束処理について説明する。
【０１１８】
紙幣処理装置１００は、テラーカウンタ上であって、オペレータがテラーカウンタを挟んで顧客と正対したときにオペレータの少し左側（顧客の右側）に設置される。このとき、紙幣処理装置１００は、筐体１２の第１側面１２３が顧客の方を向くように設置される。この状態においては、筐体１２の第２側面１２４は、オペレータの方を向いている。ただし、紙幣処理装置１００はオペレータの少し左側に位置するので、顧客も第２側面１２４を視認することができる。
【０１１９】
まず、オペレータは顧客から入金すべきバラ状態の紙幣を受け取り、該紙幣をホッパ部２へ載置する。このとき、バラ状態の紙幣に複数種類の紙幣が混在していたとしても、それらを分類することなく、ホッパ部２へ載置する。オペレータは、紙幣の寸法に合わせて、ガイド部２２を調整する。続いて、オペレータは、タッチパネル１７を操作して、紙幣の取込を開始する。尚、紙幣センサ２５がホッパ部２への紙幣の載置を検知すると、紙幣処理装置１００が自動的に紙幣の取込を開始するようにしてもよい。
【０１２０】
ホッパ部２に載置された紙幣は、取込ローラ２３が作動することにより１枚ずつ取込口２４から、筐体１２内へ取り込まれていく。取り込まれた紙幣は、第１搬送部７により搬送され、識別部３を通過する。識別部３は、通過する紙幣の紙幣種別を取得し、その紙幣種別を制御部１２０へ通知する。
【０１２１】
制御部１２０は、紙幣の種類に応じて、紙幣に対応する搬送先を決定する。具体的には、紙幣が結束対象の所定金種の紙幣であって且つ正券紙幣であるときには、制御部１２０は、搬送先を結束スタッカ４（４Ａ及び４Ｂの何れか一方）とする。紙幣が結束対象の所定金種の紙幣であって且つ損券紙幣であるときには、制御部１２０は、搬送先を第１非結束スタッカ５Ａとする。紙幣が所定金種以外の金種の紙幣であるときには、制御部１２０は、搬送先を第２非結束スタッカ５Ｂとする。紙幣がリジェクト紙幣であるときには、制御部１２０は、搬送先をリジェクトスタッカ６とする。
【０１２２】
制御部１２０は、紙幣が搬送先となるスタッカに搬送されるように第１搬送部７を制御する。具体的には、制御部１２０は、搬送先となるスタッカへ繋がる分岐路７２に対応する振り分け機構７３を該紙幣が主搬送路７１から該分岐路７２へ導かれるように制御する。制御部１２０は、該分岐路７２の直前の通過センサ７４が紙幣を検知したときに、該振り分け機構７３を切り替える。そうして、紙幣をスタッカ内に搬入する。
【０１２３】
結束スタッカ４に搬送される紙幣は、２つの結束スタッカ４のうち一方の結束スタッカ４へ搬送される。一方の結束スタッカ４に集積された紙幣の枚数が所定の結束枚数（例えば、１００枚）に達すると、それ以降の紙幣は、他方の結束スタッカ４へ搬送される。ここでは、紙幣がまず第１結束スタッカ４Ａへ搬送されるものとする。各第１結束スタッカ４Ａにおいては、紙幣が搬送されてくると、羽根車４２の回転によって、紙幣が１枚ずつ上方に重ねられていく。このとき、ステージ４１上の最も上の紙幣が第２紙幣センサ４６により検知されると、ステージ４１は、所定量だけ下降し、第２紙幣センサ４６が紙幣を検知していない状態となる。その後、紙幣がさらに積み重ねられ、第２紙幣センサ４６が紙幣を検知するようになると、再びステージ４１が所定量だけ下降する。この処理を繰り返すことにより、結束スタッカ４内に落下する紙幣の落下距離を一定の範囲に保つことができるので、自然落下する紙幣の落下位置及び落下したときの姿勢を一定にすることができる。
【０１２４】
第１結束スタッカ４Ａに集積された紙幣が結束枚数に達すると、制御部１２０は、第２搬送部８を制御し、把持ユニット８１により第１結束スタッカ４Ａ内の紙幣を把持し、該紙幣を結束部９へ搬送する。その後、制御部１２０は、結束部９を制御して、紙幣をテープＴで結束する。
【０１２５】
尚、第１結束スタッカ４Ａに集積された紙幣が結束枚数に達すると、それ以降の紙幣は第２結束スタッカ４Ｂに集積される。その後、第２結束スタッカ４Ｂに集積された紙幣が結束枚数に達したときには、それ以降の紙幣は再び第１結束スタッカ４Ａに集積されるようになる。このときまでには、第１結束スタッカ４Ａ内の紙幣の搬出が完了しているので、第１結束スタッカ４Ａ内は空の状態になっている。このように、２つの結束スタッカ４を設けることによって、紙幣の集積を連続して行いつつ、結束処理を行うことができる。
【０１２６】
続いて、制御部１２０は、第３搬送部１０を制御して、結束紙幣を投出口１１１から投出する。
【０１２７】
所定金種の紙幣であって且つ損券紙幣は、第１非結束スタッカ５Ａへ搬送され、第１非結束スタッカ５Ａに集積される。同様に、所定金種以外の金種の紙幣は、第２非結束スタッカ５Ｂへ搬送され、第２非結束スタッカ５Ｂに集積される。リジェクト紙幣も、リジェクトスタッカ６へ搬送され、リジェクトスタッカ６に集積される。
【０１２８】
以上の処理が、ホッパ部２に載置された紙幣が無くなるまで続けられる。ホッパ部２の紙幣の有無は、紙幣センサ２５によって検知される。
【０１２９】
ホッパ部２に載置された紙幣の処理が完了すると、リジェクト紙幣の取込及び識別を再度行う。つまり、オペレータは、リジェクト紙幣をリジェクトスタッカ６から抜き出して、ホッパ部２へ載置し、再び取込を行う。リジェクト紙幣は、何らかの理由で正常な紙幣として識別されなかった紙幣であるので、再び取込及び識別を試みる。それでも尚、リジェクト紙幣として識別される紙幣は、再びリジェクトスタッカ６に集積される。オペレータは、再び集積された紙幣を顧客に返却する。
【０１３０】
尚、第１及び第２非結束スタッカ５Ａ，５Ｂに集積された紙幣については、再度の取込を行わない。
【０１３１】
こうして、ホッパ部２に載置された紙幣の処理とリジェクト紙幣の再処理が完了すると、同一種類結束処理が完了し、顧客から渡された入金すべき紙幣の計数及び分別が終了する。タッチパネル１７には、計数された金額が表示される。オペレータは、顧客からその金額の承認を得るか、又は、その金額と顧客が記載した入金伝票に記載された金額との一致を確認すると、タッチパネル１７により入金額の確定操作を行う。確定操作が行われると、確定した入金額が上位装置（図示省略）へ通知され、入金処理が完了する。
【０１３２】
入金処理の完了後は、オペレータは、投出部１１に投出されている結束紙幣、結束スタッカ４に集積されている紙幣及び非結束スタッカ５に集積されている紙幣を取り出して所定の収納場所に収納する。
【０１３３】
以上の処理により、複数種類の紙幣が混在し且つバラ状態であった紙幣は、所定金種の正券紙幣と、所定金種の損券紙幣と、所定金種以外の金種の紙幣と、リジェクト紙幣とに分類され、所定金種の正券紙幣については結束枚数ごとに結束された状態となる。
【０１３４】
〈集積後の処理の詳細説明〉
以下に、紙幣が結束スタッカ４に集積されてから投出部１１へ投出されるまでの処理を詳細に説明する。
【０１３５】
−集積部から結束部までの紙幣の搬送−
結束スタッカ４において紙幣Ｂの集積が完了すると、第２搬送部８は、紙幣Ｂを結束スタッカ４から結束部９へ搬送する。図７に、第２搬送部８が紙幣Ｂを結束スタッカ４から抜き出した状態の図を示す。図８に、第２搬送部８が紙幣Ｂをテープ輪Ｌの側方まで搬送した状態の図を示す。
【０１３６】
詳しくは、紙幣Ｂの集積が完了すると、第２搬送部８は、紙幣Ｂの集積が完了した結束スタッカ４まで移動し、結束スタッカ４内の紙幣Ｂを把持し、図７に示すように結束スタッカ４から抜き出す。ここでは、第１結束スタッカ４Ａにおいて紙幣Ｂの集積が完了したとする。そして、第２搬送部８の把持ユニット８１は、第１結束スタッカ４Ａ内の紙幣Ｂを把持する。第２搬送部８は、把持した紙幣Ｂを第１水平方向へ第１結束スタッカ４Ａから抜き出す。このとき、第２搬送部８は、紙幣Ｂを所定の第１位置（図７に示す位置）まで第１水平方向へ移動させる。この第１位置は、後述する紙幣Ｂを大テープ輪Ｌ２の中へ搬送する際の第１水平方向についての位置と一致している。
【０１３７】
続いて、第２搬送部８は、図８に示すように、紙幣Ｂを所定の第２位置まで上下方向へ移動させる。この第２位置は、紙幣Ｂを大テープ輪Ｌ２の中へ搬送する位置である。第２位置においては、紙幣Ｂの長手方向を向いて見たときに、紙幣Ｂは大テープ輪Ｌ２の中央付近に位置している。
【０１３８】
−テープ輪の作成−
制御部１２０は、第２搬送部８が紙幣Ｂを結束スタッカ４から第２位置まで搬送する間にテープ輪Ｌを作成する。図９に、テープ把持部９２１がテープＴの先端部を把持した状態の図を示す。図１０は、テープ把持部９２１が小テープ輪Ｌ１を作成した状態の図を示す。
【０１３９】
まず、送り出しローラ対９２０は、第１テープセンサ９２１０がテープＴの先端を検知するまでテープＴを引き戻す。尚、テープＴの所定範囲に印刷を行うために、印刷部９７までテープＴが引き戻されるため、第１テープセンサ９２１０は、印刷部９７からテープ把持部９２１に向かって送り出されるテープＴの先端を検知することになる。テープＴの先端が検知されると、送り出しローラ対９２０がテープＴを送り出す。このとき、テープ把持部９２１は、可動部９２３とベース部９２２との間に隙間を空けた状態で且つその隙間に送り出しローラ対９２０から送り出されたテープＴが入り込む姿勢で待機している。テープＴの先端部が可動部９２３とベース部９２２との間に入り込むと、図９に示すように、可動部９２３とベース部９２２とでテープＴの先端部を把持する。可動部９２３は、ベース部９２２と共にテープＴの先端部を把持した状態でロックされる。テープＴの先端部は、略水平な状態でテープ把持部９２１に把持されている。
【０１４０】
次に、テープ把持部９２１は、図９に一点鎖線の矢印で示すように、テープＴの先端部を把持した状態で回転を始める。このとき、送り出しローラ対９２０によるテープＴの送り出しは継続している。テープ把持部９２１は、テープＴの先端を下方へ移動させるように、即ち、図９において反時計回りに回転する。
【０１４１】
テープ把持部９２１が略一回転すると、図１０に示すように、テープ輪Ｌが作成される。こうして、テープ把持部９２１が略一回転することにより作成されるテープ輪Ｌを「小テープ輪Ｌ１」と称する。テープ把持部９２１が把持するテープＴの先端部は、小テープ輪Ｌ１の上部に位置しており、小テープ輪Ｌ１は、テープ把持部９２１の下方に作成される。また、小テープ輪Ｌ１は、送り出しローラ対９２０よりも低い位置に作成されている。
【０１４２】
小テープ輪Ｌ１が形成されると、テープ把持部９２１の回転が停止する一方で、送り出しローラ対９２０によるテープＴの送り出しは継続される。その結果、小テープ輪Ｌ１は、図１０に一点鎖線の矢印で示すように、徐々に大きくなっていく。ここで、テープ把持部９２１が把持するテープＴの先端部は、小テープ輪Ｌ１の上部に位置し、送り出しローラ対９２０からのテープＴは小テープ輪Ｌ１の上部から供給されるので、小テープ輪Ｌ１は、下方へ膨らんでいく。テープ把持部９２１の下方にはガイド部９２５が配置されているので、テープ輪Ｌはやがてガイド部９２５と接触し、ガイド部９２５によりテープ輪Ｌの形状が規定される。最終的に送り出しローラ対９２０からのテープＴの送り出し量が所定量に達したときには、図１０に一点鎖線で示すように、ガイド部９２５により略長方形状に形成されたテープ輪Ｌが作成される。このテープ輪Ｌを「大テープ輪Ｌ２」と称する。大テープ輪Ｌ２は、下ガイド部９２６、第１側方ガイド部９２７及び第２側方ガイド部９２８に接触し、略長方形状に形成されている。それに加えて、大テープ輪Ｌ２は、第１〜第４コーナーガイド部９２９ａ〜９２９ｄに接触しており、これにより、角部が湾曲した長方形状に形成されている。
【０１４３】
尚、制御部１２０は、送り出しローラ対９２０からのテープＴの送り出し量が前記所定量になったときに第２テープセンサ９２１１がテープＴを検知していることをもって、大テープ輪Ｌ２が作成されたことを検知する。制御部１２０は、テープＴの送り出し量を、第１テープセンサ９２１０がテープＴの先端を検出してからの送り出しローラ対９２０のステッピングモータの駆動量に基づいて求める。送り出しローラ対９２０からのテープＴの送り出し量が前記所定量になったにもかかわらず、第２テープセンサ９２１１がテープＴを検知していないときには、テープ輪Ｌの一部が内側へ撓んで、テープ輪Ｌがガイド部９２５に沿った適切な形状（即ち、大テープ輪Ｌ２）になっていない可能性がある。そこで、制御部１２０は、送り出しローラ対９２０からのテープＴの送り出し量が前記所定量になったときに第２テープセンサ９２１１がテープＴを検知していないときには、テープＴを所定の引き戻し量だけ引き戻した後、再びテープＴを、全送り出し量が前記所定量になるまで送り出す。そして、制御部１２０は、第２テープセンサ９２１１がテープＴを検知するか否かを確認する。第２テープセンサ９２１１がテープＴを検知していない場合には、制御部１２０は、前述のテープＴの引き戻し及び送り出し並びにテープ検知の確認を繰り返す。
【０１４４】
第２テープセンサ９２１１は、第４コーナーガイド部９２９ｄに案内されるテープＴを検知するように構成されている。つまり、第２テープセンサ９２１１は、大テープ輪Ｌ２の中へ紙幣Ｂが搬送された場合に該紙幣Ｂよりも上方の所定の位置におけるテープＴの有無を検知する。テープ輪Ｌの一部が内側に撓むとすれば、テープＴの自重によりテープ輪Ｌの上部が撓む可能性が高い。つまり、第２テープセンサ９２１１を前述の位置に配置することによって、テープ輪Ｌの撓みを精度良く検知することができる。
【０１４５】
この大テープ輪Ｌ２の作成は、図７，８に示すように、第２搬送部８が紙幣Ｂを結束スタッカ４から結束部９まで搬送する処理と並行して行われる。通常は（即ち、大テープ輪Ｌ２が一度のテープＴの送り出しで作成された場合には）、紙幣Ｂが第２位置へ搬送されたときには大テープ輪Ｌ２の作成が完了している。
【０１４６】
−テープの巻き付け−
図１１に、紙幣Ｂの厚み方向を向いて見たときの、紙幣Ｂが大テープ輪Ｌ２へ搬送されて、紙幣ＢにテープＴが巻き付けられるまで各部の動作説明図を示す。図１１において、（Ａ）は、紙幣Ｂが大テープ輪Ｌ２へ搬送される直前の状態であり、（Ｂ）は、紙幣Ｂが大テープ輪Ｌ２へ搬送された状態であり、（Ｃ）は、紙幣ＢにテープＴが巻き付けられた状態である。図１２に、クランプ部９４が紙幣Ｂを押圧したときのガイド部９２５の状態を示す。
【０１４７】
第２搬送部８は、前述の如く、図７、８に示すように、紙幣Ｂを前記第２位置まで搬送した後（図１１（Ａ）参照）、該紙幣Ｂを第２水平方向へ移動させ、大テープ輪Ｌ２の中へ進入させる。第２搬送部８は、図１１（Ｂ）に示すように、紙幣Ｂを第２水平方向の所定の第３位置まで移動させる。この第３位置は、図例では、第２水平方向においてテープＴが紙幣Ｂの長手方向略中央に一致する位置である。但し、後述の通り、第３位置は、紙幣Ｂのサイズと、指定された結束位置とに応じて適宜変更される。
【０１４８】
紙幣Ｂが第３位置まで搬送されると共に、把持ユニット８１が、紙幣の結束予定部分（後の処理でテープＴが巻き付けられる部分）以外の部分を把持し直した後に、クランプ部９４が紙幣Ｂを集積方向へ、即ち、上下方向へ両側から押圧する。詳しくは、クランプ部９４の下クランプ部９４３，９４４が上方へ移動する。このとき、可動上クランプ部９４２は、クランプ位置に位置している。最終的に、下クランプ部９４３，９４４は紙幣Ｂを上クランプ部９４１，９４２へ押し付ける。上クランプ部９４１，９４２及び下クランプ部９４３，９４４は、紙幣Ｂの長手方向において、紙幣Ｂの結束予定部分の両側を上下方向から挟持する。こうして、紙幣Ｂは、上クランプ部９４１，９４２と下クランプ部９４３，９４４とで上下方向から圧縮される。上昇する下クランプ部９４３，９４４は、上クランプ部９４１，９４２及び下クランプ部９４３，９４４が紙幣Ｂを所定の厚みまで圧縮する位置で停止する。
【０１４９】
また、下クランプ部９４３，９４４は、下ガイド部９２６と一体的に構成されているので、下ガイド部９２６も下クランプ部９４３，９４４の上昇に伴って上方へ移動する。このとき、テープリールモータ９１１１及びテープ送りモータ９２１２を戻し方向に駆動することにより、下ガイド部９２６の上昇に連動して、テープＴを引き戻す。その結果、図１２に示すように、下ガイド部９２６の上昇に伴って、テープ輪Ｌが小さくなる。それに加えて、第２側方ガイド部９２８も、下ガイド部９２６の上昇に連動して上昇する。これにより、テープ輪Ｌが変形できるスペースを確保することができる。つまり、下ガイド部９２６の上昇が、テープ輪Ｌが小さくなる速度に対して速すぎる場合には、テープ輪Ｌがガイド部９２５からはみ出すように変形する。このとき、第２側方ガイド部９２８は、テープ輪Ｌの側方から退避しているので、テープ輪Ｌは、もともと第２側方ガイド部９２８が位置していたスペースの方へ膨らむことができる。これにより、テープＴが折れ曲がることを防止することができる。
【０１５０】
ここで、可動上クランプ部９４２の第１当接部９４２ａと第２当接部９４２ｂとの間には、第３当接部９４２ｃが設けられ、第３当接部９４２ｃは、第１及び第２当接部９４２ａ，９４２ｂよりも低い位置に位置している。また、固定上クランプ部９４１の第１当接部９４１ａと第２当接部９４１ｂとの間には、テープ把持部９２１のベース部９２２が配置され、ベース部９２２は、第１及び第２当接部９４１ａ，９４１ｂよりも低い位置に位置している。一方、下クランプ部９４３，９４４においては、第１当接部９４３ａと第２当接部９４３ｂとの間、及び、第１当接部９４４ａと第２当接部９４４ｂとの間には下方に窪んだスペースが形成されている。そのため、クランプ部９４により押圧された紙幣Ｂは、短手方向の略中央部が下方に凹んだ形状となっている。
【０１５１】
下ガイド部９２６の上昇は、下クランプ部９４３，９４４の上昇と共に停止する。一方、テープリールモータ９１１１及びテープ送りモータ９２１２によるテープＴの引き戻しは、下ガイド部９２６の上昇が停止した後も継続される。最終的に、図１１（Ｃ）に示すように、テープＴが紙幣Ｂに巻き付けられる。ここで、前述の如く、テープＴは、紙幣Ｂに巻き付けられる直前まで下ガイド部９２６により幅方向の位置が規制されている。そのため、テープＴは、紙幣の結束予定部分に正確に巻き付けられる。
【０１５２】
−テープの接合、切断及び押印−
続いて、ヒータ９５がテープＴ同士を接合すると共に、カッタ９６がテープＴを切断する。それに加えて、押印部９８がテープＴに押印する。図１３に、テープＴの接合、切断及び押印の説明図を示す。
【０１５３】
テープＴの紙幣Ｂへの巻き付けが完了すると、ヒータ９５とカッタ９６とは一緒に下降する。このとき、第１及び第２テープ押え９９１，９９２も、ヒータ９５及びカッタ９６と共に下降する。
【０１５４】
それによって、図１３に示すように、先ず第１テープ押え９９１がベース部９２２の第１凹溝９２２ｃに嵌まり、第１凹溝９２２ｃの底壁との間でテープＴを挟持する。それと共に、第２テープ押え９９２が、可動部９２３との間でテープＴを挟持する。このとき、ヒータ９５による溶着とカッタ９６による切断は行われていない。
【０１５５】
続いて、図示は省略するが、ヒータ９５は、テープＴの先端部と一周したテープＴとが重なり合った部分とをテープ把持部９２１のベース部９２２と共に挟み込む。詳しくは、ヒータ９５は、ベース部９２２のうち第１凹溝９２２ｃと第２凹溝９２２ｄとの間の部分でテープＴを挟持する。ヒータ９５は、重なり合ったテープＴ同士を熱によって溶着させる。
【０１５６】
ヒータ９５による熱溶着と並行して、カッタ９６は、テープＴを切断する。カッタ９６は、テープＴのうち、ヒータ９５による溶着部分よりも上流側、即ち、溶着部分よりも送り出しローラ対９２０側の部分（以下、「余剰部分」という）を切断する。こうして、紙幣Ｂに巻き付けられたテープＴ同士が接合され、テープＴの余剰部分が切断される。
【０１５７】
さらに、押印部９８は、ヒータ９５による溶着及びカッタ９６による切断と並行して、テープＴに押印を行う。押印部９８は、下ガイド部９２６と共に上昇しており、テープＴの溶着及び切断時には紙幣Ｂの直下に位置している。送り出しローラ対９２０によりテープＴを引き戻してテープＴを紙幣Ｂに巻き付けた後、押印部９８は、スタンプ９８１を上昇させる。スタンプ９８１は、紙幣Ｂに巻き付けられたテープＴに当接し、該テープＴに押印する。
【０１５８】
ここで、押印部９８は、テープＴの幅方向位置を規制する下ガイド部９２６と一体的に構成されているので、スタンプ９８１は、テープＴに対して位置決めされている。詳しくは、下ガイド部９２６の底壁９２６ｂの貫通孔９２６ｄを貫通し、側壁９２６ａ，９２６ａの間においてテープＴに押印する。紙幣Ｂの下面に巻き付けられたテープＴは、側壁９２６ａ，９２６ａによりテープ幅方向の位置が規制されているので、スタンプ９８１が、側壁９２６ａ，９２６ａの間を通って上昇した先にはテープＴが位置している。こうして、スタンプ９８１は、テープＴからはみ出すことなく押印する。
【０１５９】
また、テープＴの長手方向において、スタンプ９８１が押印する部分に印刷部９７により印字された文字又は符号が位置していたとしても、スタンプ９８１が押印する部分と印刷部９７が印字する位と部分とはテープ幅方向にずれているため、スタンプ９８１による印字と印刷部９７による印字とが重なり合うことはない。
【０１６０】
−紙幣の排出−
テープＴにより結束された結束紙幣Ｂは、第２搬送部８及び第３搬送部１０により投出部１１まで搬送される。つまり、詳細な図示は省略するが、テープＴの接合、切断及び押印が完了すると、把持ユニット８１が結束紙幣Ｂを把持する。続いて、下クランプ部９４３，９４４が下降して、クランプ部９４による押圧が解除される。それに加えて、可動上クランプ部９４２が上昇する。その後、第２搬送部８は、結束紙幣Ｂを第２水平方向へ、紙幣を大テープ輪Ｌ２へ搬送したときとは反対側へ所定量だけ搬送する。
【０１６１】
次に、把持ユニット８１は、結束紙幣Ｂの把持を解除する。代わりに、第３搬送部１０が結束紙幣Ｂを把持する。そうして、第３搬送部１０が、結束紙幣Ｂを第１水平方向へ投出部１１に向かって搬送する。最終的に、結束紙幣Ｂは、第３搬送部１０により投出部１１へ押し出される。
【０１６２】
投出部１１へ押し出された結束紙幣は、投出部１１を介して筐体１２の外部へ投出される。
【０１６３】
〈結束紙幣のテープに対する印字処理〉
前述した手順に従って作成される結束紙幣ＢのテープＴには、当該結束紙幣Ｂに関連する情報が印字される。印字される内容には、１つ、又は複数の項目が含まれる。項目は、具体的には、結束紙幣Ｂの作成を行ったオペレータ名、当該紙幣処理装置１００が作成した結束紙幣Ｂの通し番号（つまり、束番号）、結束紙幣を作成した日付、結束紙幣Ｂを作成した時刻、及び、結束紙幣Ｂを作成した金融機関名（例えば銀行名、尚、銀行名には支店名が含まれる場合もある）、結束紙幣Ｂの金額（つまり、総額）、結束紙幣Ｂに含まれる紙幣の正損別等である。尚、ここに例示する以外の項目を含んでもよい。ユーザ（尚、ここでのユーザは、当該紙幣処理装置１００を利用して、入金処理（つまり、結束処理）を行う金融機関において、印字内容を設定する担当者に相当する）は、複数の項目の候補の中から、所望の項目を任意に選択しておく。選択した項目の情報は、制御部１２０の記憶部１２０１に記憶される。印刷部９７は、記憶部１２０１に記憶されている項目情報に従って、テープＴにおける所定の位置に印字する。複数の項目は、テープＴに沿って並んで印字される。項目と項目との間には、例えばスペースが設けられる。テープＴに印字する項目数が多いほど、印字する長さが長くなる。「印字する長さ」とは、テープＴに沿って並んだ、１つ又は複数の項目を構成する文字列全体の一端から他端までの長さである。
【０１６４】
ここで、図１４に示すように、結束紙幣ＢにおいてテープＴの印字箇所の範囲は、その結束紙幣Ｂにおいて紙幣の表面又は裏面に位置するテープ箇所に制限される。図１４の例では、結束紙幣Ｂの下面に位置するテープ箇所の、結束紙幣Ｂの右端から左端までの範囲である。こうして、結束紙幣Ｂの側面（つまり、コバ面）に位置するテープ箇所には、原則的には、印字しない。これは、作成した結束紙幣Ｂは、複数個を積層してテープを巻き付けることにより、さらに大きな束を作成する場合があり、その大束において、結束紙幣Ｂのコバ面に位置するテープ箇所に、バーコード等を貼る場合があるためである。
【０１６５】
このように結束紙幣Ｂにおいて印字箇所の範囲は、紙幣の短手方向の寸法によって定まる。ところが、前述したように、テープＴに印字する長さが長くなってしまうと、印字箇所の範囲に収まらず、コバ面にまではみ出してしまう可能性がある。
【０１６６】
また、金種によって紙幣の短手方向の寸法が異なる場合があり、短手方向の寸法が相対的に長い金種の紙幣について結束紙幣Ｂを作成するときには、印字箇所の範囲内に、印字を収めることができるとしても、短手方向の寸法が相対的に短い金種の紙幣について結束紙幣Ｂを作成するときには、印字箇所の範囲内に、印字を収めることができなくなる場合もある。
【０１６７】
この紙幣処理装置１００は、結束紙幣Ｂのコバ面に印字しないように構成されている。具体的に紙幣処理装置１００は、ユーザが、テープＴに印字をする項目を選択することに加えて、選択した複数の項目についての優先順位を設定するように構成されている。この優先順位は、印字する長さが、結束紙幣Ｂにおける印字箇所の範囲内に収まらないときに、印字する項目から除外をする上での優先順位であり、優先順位が低い項目が優先的に、除外の対象となる。
【０１６８】
紙幣処理装置１００は、ユーザによって設定された印字項目、及び、その優先順位と、結束を行う紙幣の短手方向の寸法とに基づき、コバ面に位置するテープ箇所に印字をしないように、テープＴに印字する長さを設定する。尚、紙幣の短手方向の寸法の情報は、記憶部１２０１に予め記憶されている紙幣毎のサイズ情報と、識別部３による識別結果に基づいて取得することが可能である。記憶部１２０１に予め記憶されている紙幣毎のサイズ情報は、識別用テンプレート３３から取得するようにしてもよい。紙幣処理装置１００はまた、紙幣の短手方向の寸法を、様々な方法で取得することが可能である。例えばユーザが、紙幣の短手方向の寸法を手入力してもよい。
【０１６９】
図１５は、短手方向の寸法が異なる２種類の紙幣、ここでは、第１金種の紙幣のテープＴに印字される項目と、第２金種の紙幣のテープＴに印字される項目との一例を示している。図例では、ユーザは、「オペレータ名」「束番号」「日付」「時刻」「銀行名」を、印字する項目として選択している。その内、「銀行名」の優先順位を最も下位に設定している、とする。
【０１７０】
短手方向の寸法が相対的に長い第１金種の結束紙幣については、選択した全ての項目を印字したとしても、その印字する長さが、当該結束紙幣Ｂの印字箇所の範囲内に収まる。紙幣処理装置１００は、第１金種の結束紙幣Ｂを作成するときには、テープＴに対して、ユーザが選択した全ての項目を印字する。これにより、コバ面に位置するテープ箇所に印字せずに、結束紙幣Ｂにおいて、紙幣の表面又は裏面に位置するテープ箇所にのみ、印字をすることが可能になる。
【０１７１】
これに対し、第２金種の紙幣は、短手方向の寸法が相対的に短いため、選択した全ての項目を印字しようとしても、印字する長さが、当該結束紙幣Ｂの印字箇所の範囲内に収まらない。そこで、紙幣処理装置１００は、設定された優先順位に従って、最も下位の「銀行名」の項目を、印字する項目から除外する（図１５の破線参照）。印字する項目数を減らすことによって印字する長さが短くなり、短手方向の寸法が相対的に短い第２金種の結束紙幣Ｂについても、コバ面に位置するテープ箇所に印字せずに、紙幣の表面又は裏面に位置するテープ箇所にのみ、印字をすることが可能になる。
【０１７２】
この紙幣処理装置１００ではまた、印字する項目の数を増減することで印字する長さを調整するだけでなく、項目の長さを調整することによって印字する長さの調整を行い、それによって、結束紙幣Ｂのコバ面に位置するテープ箇所に印字をしないようにすることが可能に構成されている。項目の長さを調整することには、当該項目において予め設定されている最大文字数に対して、ユーザが使用する文字数が、その最大文字数よりも少ないときに、余剰の文字数分の空きスペースを詰めることで、項目の長さを短くすることが含まれる。具体的に、ここでは、「オペレータ名」の項目、及び、「銀行名」の各項目が、それに該当する。これらの項目については、予め最大文字数が設定されており、ユーザは、その最大文字数の範囲内で、任意に内容を設定することが可能である。例えばオペレータ名の項目について、最大文字数が１０文字に設定されており、ユーザは、６文字のオペレータ名を設定したときには、４文字分が余剰の文字数となる。
【０１７３】
また、項目の長さを調整することには、予め設定された最大桁数内で、桁数が変化する項目について、印字すべき桁数が、その最大桁数よりも少ないときに、余剰の桁数分の空きスペースを詰めることで、項目の長さを短くすることが含まれる。具体的に、ここでは「束番号」、「日付」及び「時刻」の各項目が、それに該当する。束番号は、前述したように結束紙幣の通し番号であり、桁数が変化し得る。また、日付については、一桁の日（１日、２日等）と、二桁の日（１１日、１２日等）とが存在している。時刻についても、一桁の時分秒と、二桁の時分秒とが存在しており、日付と同様である。例えば束番号の項目について、最大桁数が３桁に設定されているときに、通し番号が一桁のときには、二桁分が余剰の桁数となる。
【０１７４】
図１６は、オペレータ名の項目の長さを、第１金種の結束紙幣Ｂと、第２金種の結束紙幣Ｂとで異ならせる例を示している。つまり、第１金種の結束紙幣Ｂについては、短手方向の寸法が相対的に長くて、印字箇所の範囲が相対的に広い。そのため、オペレータ名の項目に、余剰の文字数分の空きスペースを含めることによって、当該項目の長さを、最大文字数の長さとしている。オペレータ名の項目の長さは長いものの、コバ面に位置するテープ箇所に印字せずに、結束紙幣Ｂにおいて、紙幣の表面又は裏面に位置するテープ箇所にのみ、印字をすることが可能である。
【０１７５】
これに対し、第２金種の結束紙幣Ｂについては、短手方向の寸法が相対的に短くて、印字箇所の範囲が相対的に狭い。そのため、オペレータ名の項目における、余剰の文字数分の空きスペースを詰めることによって、当該項目の長さを、相対的に短くしている。こうすることで、コバ面に位置するテープ箇所に印字せずに、結束紙幣Ｂにおいて、紙幣の表面又は裏面に位置するテープ箇所にのみ、印字をすることが可能である。図１６に示すように、項目の長さを短くすることによって、印字する長さを短くしているため、ユーザが選択した項目を、除外することなく全て印字することが可能である。
【０１７６】
尚、余剰の文字数又は桁数分の空きスペースを詰めるときには、空きスペースの全部を詰めるようにしてもよいし、空きスペースの一部を詰めるようにしてもよい。
【０１７７】
この紙幣処理装置１００では、前述した優先順位に従って、印字する項目の数を増減すること、及び、項目における余剰の文字数又は桁数分の空きスペースを詰めること、を組み合わせることで、結束紙幣Ｂのコバ面に位置するテープ箇所に印字することなく、紙幣の表面又は裏面に位置するテープ箇所にのみ、印字をするようにしている。尚、優先順位に従って、印字する項目の数を増減すること、及び、項目における余剰の文字数分の空きスペースを詰めること、の両方ではなく、いずれか一方のみを行うようにしてもよい。
【０１７８】
図１７は、結束紙幣ＢのテープＴに印字する形態を設定する画面の一例であり、この画面は、例えば紙幣処理装置１００のタッチパネル１７に表示される。設定画面は、印字する項目を選択すると同時に、その項目の優先順位を設定するように構成されている。つまり、同画面の表における左側の、１、２、３、…の各数字は、優先順位を示しており、各数字に対応する欄に項目を入力することによって、印字する項目の選択と、その項目の優先順位の設定とが同時に行われる。言い換えると、優先順位の設定は、印字をすることを選択した項目についてのみ、行うことが可能である。
【０１７９】
図に示すように、この設定画面に、印字項目として選択可能な項目の候補を表示するようにすれば、ユーザは、この候補の中から所望の項目を選択することが可能になり、利便性が高まる。尚、設定画面は、一例であり、これに限るものではない。
【０１８０】
選択した項目に関しては、前述したように、余剰の文字数分の空きスペースを詰めるか否かを設定可能に構成されている（「スペース詰め」の欄参照）。つまり、スペース詰めを「可」としたときには、当該項目については、余剰の文字数又は桁数分の空きスペースを詰めることが可能である。この場合、印字する長さが、印刷箇所の範囲内に収まるか収まらないかに拘わらず、常に空きスペースを詰めること、及び、印字する長さが、印刷箇所の範囲内に収まらないときには空きスペースを詰め、収まるときには空きスペースを詰めないこと、をさらに設定可能にしてもよい。また、スペース詰めを「不可」としたときには、当該項目については、余剰の文字数又は桁数分の空きスペースを詰めない設定となる。尚、余剰の文字数又は桁数分の空きスペースが生じない項目に関しては、スペース詰めの欄の設定は無効となる、又は、設定することができない。
【０１８１】
図１８は、図１７に示す設定画面においてユーザが印字項目を設定しているときに、タッチパネル１７に表示され得る画面の一例である。この画面は、ユーザが設定をした印字形態に従って、結束紙幣ＢのテープＴに印字を行ったときに、その印字の状態がどのようになるのかを、短手方向の寸法が異なる金種毎に、表示する画面である。図１８の画面例は、ユーザが設定をした優先順位に従って、印字する項目の増減を行う場合の一例である。この例では、短手方向の寸法が相対的に長い第１金種の結束紙幣Ｂについては、ユーザが設定をした、「オペレータ名」「束番号」「日付」「時刻」「銀行名」の全ての項目が印字されることが示される。これに対し、短手方向の寸法が相対的に短い第２金種の結束紙幣Ｂについては、印字箇所の範囲が狭くなることで、ユーザが設定をした、「オペレータ名」「束番号」「日付」「時刻」「銀行名」の内、「銀行名」を除く、「オペレータ名」「束番号」「日付」「時刻」の項目が印字されることが示される。ユーザは、この画面によって、結束紙幣ＢのテープＴに実際に印字される状態を、予め把握することが可能になる。この画面には、「ＯＫ」と「再設定」との２つのボタンが含まれており、ユーザは、この画面によって把握した形態に基づき、設定した印字項目の修正等を行いたいときには、「再設定」ボタンを選択操作する。これにより、図１７に示す設定画面に戻ることができ、ユーザは、印字形態の設定（設定を新たにやり直すことや、既に設定した内容を修正することを含む）を行うことが可能になる。一方、設定した印字形態で良いときには、ユーザは、「ＯＫ」ボタンを選択操作する。これにより、設定した印字形態が、記憶部１２０１に記憶される。
【０１８２】
前述したように、束番号、日付、時刻といった項目は、結束紙幣を作成するタイミングによって桁数が変化し、それに伴い、テープＴに印字する長さが変化し得る。その結果、図１８に示すように、印字形態を設定する際に、テープＴに対する印字状態が、予め把握されるとしても、結束紙幣ＢのテープＴに、実際に印字される状態は、図１８の画面に示される印字状態とは異なる場合も起こり得る。この紙幣処理装置１００では、図１９に示すように、結束処理を行うときにも、テープＴに対する印字状態を、タッチパネル１７に表示する。この印字状態の表示は、例えば結束処理を開始して、最初の結束紙幣Ｂを作成する前に行うようにしてもよい。また、結束紙幣Ｂを作成する度に、当該結束紙幣Ｂについての印字状態を表示するようにしてもよい。図例では、結束をする紙幣の短手方向の寸法が比較的短いため、印字する項目から、「銀行名」が除外されることを示されている。オペレータは、作成される結束紙幣Ｂに、実際に、どのように印字がなされるかを把握することが可能になる。
【０１８３】
この表示画面にはまた、「ＯＫ」ボタンと、「再設定」ボタンとが設けられている。オペレータは、テープＴに対する印字状態を許可するときには、「ＯＫ」ボタンを選択操作する。これにより、紙幣処理装置１００は、画面に表示されている形態で、テープＴに対する印字を行い、結束紙幣Ｂを作成する。こうして、結束紙幣Ｂにおけるコバ面に位置するテープ箇所には印字がされず、紙幣の表面又は裏面に位置するテープ箇所にのみ、必要な項目が印字された結束紙幣Ｂが作成される。
【０１８４】
これに対し、前記の画面において「再設定」ボタンを選択操作したときには、オペレータは、印字形態を変更することが可能になる。ここでの印字形態の変更は、例えば図１９に示す印字項目の並び順を入れ替えたり、印字する項目を別の項目と置き換えたり、印字する項目を削除したり、印字箇所の範囲内に収まる限度で、印字する項目を追加したりすることが可能である。こうして、印字形態を変更可能にすることで、結束紙幣Ｂにおいて、紙幣の表面又は裏面に位置するテープ箇所に、所望の項目を印字することが可能になる。この再設定が選択された場合は、その再設定が完了するまでは、結束部９による結束処理を、中断するようにすればよい。
【０１８５】
こうして、この紙幣処理装置１００では、テープＴに印字する項目数を増減することで、そのテープＴに対して印字をする長さを、紙幣の短手方向の寸法に応じて変更する。これにより、短手方向の寸法が異なる複数金種の紙幣のそれぞれに対して、結束紙幣Ｂのコバ面に位置するテープ箇所に印字をすることを回避し、紙幣の表面又は裏面に位置するテープ箇所にのみ印字をすることが可能になる。
【０１８６】
ユーザは、テープＴに印字をしたい項目と、その優先順位を設定することだけで、紙幣処理装置１００が、紙幣の短手方向の寸法に応じて、印字する項目を自動的に設定するため、利便性が高い。また、優先順位を設定することによって、印字する項目を除外するときでも、必要性の高い項目は、テープＴに印字することができる。
【０１８７】
設定された優先順位に従って印字する項目を除外するだけでなく、項目における余剰の文字数又は桁数分の空きスペースを詰めることを利用すれば、印字する項目を除外しなくても、コバ面に位置するテープ箇所に印字をしないように、結束紙幣ＢのテープＴにおける所定の印字箇所の範囲内に印字を収めることが可能になり、ユーザが選択をした項目を全てテープＴに印字することも可能になる。尚、前記の構成では、設定された優先順位に従って印字する項目を除外することと、項目における余剰の文字数又は桁数分の空きスペースを詰めることとを組み合わせているが、項目における余剰の文字数又は桁数分の空きスペースを詰めることのみで、コバ面に位置するテープ箇所に印字をしないように、印字する長さの調整を行うようにしてもよい。
【０１８８】
尚、前記の構成では、図１４に示すように、結束紙幣Ｂにおいて、紙幣の表面又は裏面のいずれか一方に位置するテープ箇所を印字箇所として、この範囲内に収まるように、印字の長さを変更しているが、図２０に示すように、結束紙幣Ｂにおいて、紙幣の表面に位置するテープ箇所を第１印字箇所とし、裏面に位置するテープ箇所を第２印字箇所として、この第１及び第２印字箇所の双方を、印字箇所としてもよい。図２０の例では、第２印字箇所は、裏面に位置するテープ箇所において、溶着部分を挟んだ一側（図の左側）である。第２印字箇所は、溶着部分を除いた箇所とした方が好ましい。第２印字箇所は、溶着部分を挟んだ他側（図の右側）としてもよいし、溶着部分を挟んだ両側（図の右側及び左側）としてもよい。第１及び第２印字箇所の双方を印字箇所とすることで、印字箇所の範囲が拡大するから、印字する項目を除外しなくても、コバ面に位置するテープ箇所に印字をしないことが可能になる。例えば図１７に示す設定画面において、各項目の優先順位は、第１印字箇所に印字をするか、第２印字箇所に印字をするかに関する優先順位とすればよい。例えばテープに印字をする長さが、第１印字箇所の範囲内に収まらないときには、優先順位の低い項目を第２印字箇所に印字するようにしてもよい。
【０１８９】
このように、テープＴに印字する長さと、紙幣の短手方向の寸法とに基づいて、印字する長さが、第１印字箇所の範囲内に収まるときには、第１印字箇所にのみ印字を行う（つまり、片面印字モード）一方、印字する長さが、第１印字箇所の範囲内収まらないときには、第１印字箇所及び第２印字箇所の双方に印字を行う（つまり、両面印字モード）とする。片面印字モードと両面印字モードとを切り替えることにより、ユーザが選択した項目をできるだけテープに印字する一方で、結束紙幣Ｂにおけるコバ面に位置するテープ箇所に印字することを回避することが可能になる。
【０１９０】
尚、この第１印字箇所及び第２印字箇所の双方に印字を行うことと、前述した印字項目を除外すること、及び／又は、項目における空きスペースの少なくとも一部を詰めることとを組み合わせるようにしてもよい。つまり、第１印字箇所及び第２印字箇所の双方に印字を行うとしても、紙幣の短手方向の長さには限りがある。特に第２印字箇所は、前述したように、テープＴの溶着箇所を除いた箇所とすることが好ましく、第２印字箇所は相対的に狭くなる。そのため、第１及び第２印字箇所の双方に印字を行うとしても、印字箇所の範囲内に、ユーザが選択をした項目を全て印字することができない場合もある。その場合、前述した印字項目を除外すること、及び／又は、項目における空きスペースの少なくとも一部を詰めることを行うことで、結束紙幣Ｂにおけるコバ面に位置するテープ箇所に印字をすることなく、可能な限り多くの項目を、第１印字箇所及び第２印字箇所に印字をすることが可能になる。
【０１９１】
また、テープＴに印字項目の数を増減するのではなく、印刷部９７が印字するフォントサイズを変更することによって、テープＴに印字する長さを調整してもよい。つまり、フォントサイズを小さくすることによって、印字する項目数（つまり、印字する文字数）が同じであっても、印字する長さを短くすることが可能になる。そこで、紙幣処理装置１００は、結束紙幣Ｂの短手方向の寸法に基づいて、選択されている項目が全て、印字箇所の範囲内に収まるように、フォントサイズを変更するようにしてもよい。こうすることで結束紙幣Ｂのコバ面に位置するテープ箇所に印字をしてしまうことを回避することが可能になる。尚、フォントサイズが小さくなりすぎることを回避するための、最小のフォントサイズを予め定めておいて、最小のフォントサイズとした場合でも、印字する長さが印字箇所の範囲に収まらないときには、前述した印字する項目を除外したり、空きスペースを詰めたりして、印字する長さをさらに短くするようにしてもよい。
【０１９２】
さらに、前記の構成では、ユーザは、テープＴに印字をする項目と、その優先順位を設定するようにしているが、例えばユーザが取り扱う範囲において、紙幣処理装置１００が結束を行う紙幣の金種が、数種類に限定されるような場合（一般的には、紙幣処理装置１００が結束を行う紙幣は、当該国の通貨であり、その金種の数は、それほど多くならない）には、その金種毎に、結束紙幣ＢのテープＴに印字する項目を、図１４や図２０に示す印字箇所に収まるように、予め設定しておいてもよい。例えば図１８に示すように、短手方向の寸法が相対的に長い第１金種については、印字する項目として「オペレータ名」「束番号」「日付」「時刻」及び「銀行名」の５つを選択する一方、短手方向の寸法が相対的に短い第２金種については、「オペレータ名」「束番号」「日付」及び「時刻」を選択することで、印字する項目を少なくする。設定した印字項目は、記憶部１２０１に記憶しておく。こうすることで、結束紙幣Ｂを作成するときには、識別部３が識別した紙幣の金種に基づき、当該金種に対応づけられた印字項目を、テープＴに印字することになる。その結果、結束紙幣Ｂのコバ面に位置するテープ箇所に印字してしまうことを回避することが可能になる。
【０１９３】
また、金種毎に、結束紙幣ＢのテープＴに印字する項目を設定することに代えて、又は、印字する項目を設定することに加えて、前述したように、項目における余剰の文字数分の空きスペースを詰めるか否かを金種毎に設定することで、テープＴに印字する長さを、金種毎に設定するようにしてもよい。
【０１９４】
さらに、金種毎に、テープＴに印字するフォントサイズを設定することによって、テープＴに印字する長さを、金種毎に設定するようにしてもよい。
【０１９５】
尚、テープＴに印字する長さを、金種毎に設定したとしても、前述したように、項目の桁数が変化する結果、印字する長さが、印字箇所の範囲内に収まらなくなることも起こり得る。そこで、金種毎にテープＴに印字する長さを設定する場合であっても、前述した印字項目の優先順位を設定すること、及び／又は、余剰の文字数又は桁数等の空きスペースを詰めること、を組み合わせてもよい。
【０１９６】
また、印字する長さを調整する上で、項目数を増減したり、空きスペースを詰めたりする他にも、印字する長さが、印字箇所の範囲内に収まらないときに、印字箇所の範囲から、はみ出す文字を印字しないようにしてもよい。つまり、印字する文字数を、印字箇所の範囲内に収まるように、少なくしてもよい。
【０１９７】
さらに、紙幣処理装置１００は、結束紙幣Ｂにおいて、コバ面に位置するテープ箇所に印字を行うことを禁止することと、コバ面に位置するテープ箇所に印字を行うことを許可することとを、ユーザの設定に従って、切り替えるようにしてもよい。コバ面に位置するテープ箇所に印字を行うことを禁止する設定において、前述した印字形態の設定を行うようにすればよい。こうすることで、紙幣処理装置１００の利便性がさらに高まる。
【０１９８】
また、ここに開示する技術は、紙幣処理装置１００に限らず、小切手や商品券等を含む紙葉類を処理する紙葉類処理装置に適用することも可能である。
【符号の説明】
【０１９９】
１７  タッチパネル（表示部）
１００  紙幣処理装置（紙葉類処理装置）
１２０  制御部（印字設定部）
９  結束部
９７  印刷部（印字部）
Ｂ  紙幣（紙葉類）
Ｔ  テープ
【図１】
2015199524.tif 000003
【図２】
2015199524.tif 000004
【図３】
2015199524.tif 000005
【図４】
2015199524.tif 000006
【図５】
2015199524.tif 000007
【図６】
2015199524.tif 000008
【図７】
2015199524.tif 000009
【図８】
2015199524.tif 000010
【図９】
2015199524.tif 000011
【図１０】
2015199524.tif 000012
【図１１】
2015199524.tif 000013
【図１２】
2015199524.tif 000014
【図１３】
2015199524.tif 000015
【図１４】
2015199524.tif 000016
【図１５】
2015199524.tif 000017
【図１６】
2015199524.tif 000018
【図１７】
2015199524.tif 000019
【図１８】
2015199524.tif 000020
【図１９】
2015199524.tif 000021
【図２０】
2015199524.tif 000022